(57)【特許請求の範囲】
【請求項１】
アクセス端末がローカルサービスを含む第１のサービスレベルにアクセスすることができるように、前記アクセス端末が、第１のインターネットプロトコルポイントオブプレゼンスを提供することと、ここで、前記第１のサービスレベルは、ネットワークにおけるパケットの第１の終端を判断する、ここで、第１のインターネットプロトコルアドレスは、前記第１のサービスレベルに関連する、
前記アクセス端末が、前記アクセス端末と前記ローカルサービスを提供する第１のエンティティとの間でパケットをルーティングするための前記第１のインターネットプロトコルアドレスを使用することと、
前記アクセス端末がネットワークサービスを含む第２のサービスレベルにアクセスすることができるように、前記アクセス端末が、第２のインターネットプロトコルポイントオブプレゼンスを提供することと、ここで、前記第２のサービスレベルは、前記ネットワークにおけるパケットの第２の終端を判断する、ここで、第２のインターネットプロトコルアドレスは、前記第２のサービスレベルに関連する、
前記アクセス端末が、前記アクセス端末と前記ネットワークサービスを提供する第２のエンティティとの間でパケットをルーティングするための前記第２のインターネットプロトコルアドレスを使用することと、
前記アクセス端末が、共通エアインターフェースを介して、前記第１のサービスレベルを示すトラフィックと前記第２のサービスレベルを示すトラフィックとを送信することと
を備える通信の方法。
【請求項２】
前記第１のサービスレベルは、パケットをトンネリングすべきでないことを示し、
前記第２のサービスレベルは、パケットをトンネリングすべきであることを示す、
請求項１の方法。
【請求項３】
前記第２のサービスレベルは、訪問先ネットワークおよびエッジゲートウェイからなるグループのうちの少なくとも１つにおいて終端するプロトコルトンネルを介してパケットをトンネリングすべきであることを示す、請求項１の方法。
【請求項４】
前記第２のサービスレベルは、ホームネットワークおよびコアネットワークゲートウェイからなるグループのうちの少なくとも１つにおいて終端するプロトコルトンネルを介してパケットをトンネリングすべきであることを示す、請求項１の方法。
【請求項５】
前記第１のサービスレベルは、さらに、第１のアクセスポイント名に関連し、
前記第２のサービスレベルは、さらに、第２のアクセスポイント名に関連する、
請求項１の方法。
【請求項６】
前記ローカルサービスは、前記共通エアインターフェースを介して前記アクセス端末と通信するアクセスポイントを介して提供されるサービスを備え、
前記ネットワークサービスは、前記アクセス端末のための第１のホップルータを介して提供されるサービスを備える、
請求項１の方法。
【請求項７】
前記アクセスポイントは、インターネットプロトコルサブネットワークに関連し、
前記ローカルサービスは、前記インターネットプロトコルサブネットワークに関連するエンティティによって提供されるサービスを備える、
請求項６の方法。
【請求項８】
前記第１のサービスレベルを示すトラフィックを送信することは、前記アクセス端末が、前記第１のサービスレベルの第１の識別子を定義することと、前記識別子を第１のパケットとともに送信することとを備え、
前記第２のサービスレベルを示すトラフィックを送信することは、前記アクセス端末が、前記第２のサービスレベルの第２の識別子を定義することと、前記識別子を第２のパケットとともに送信することとを備える、
請求項１の方法。
【請求項９】
前記第１のサービスレベルを示すトラフィックを送信することは、前記アクセス端末が、前記第１のサービスレベルに関連する１つまたは複数のストリームの第１のセットを判断することと、前記判断されたストリームの第１のセット中のストリームを介して第１のパケットを送信することとを備え、
前記第２のサービスレベルを示すトラフィックを送信することは、前記アクセス端末が、前記第２のサービスレベルに関連する１つまたは複数のストリームの第２のセットを判断することと、前記判断されたストリームの第２のセット中のストリームを介して第２のパケットを送信することとを備える、
請求項１の方法。
【請求項１０】
前記ストリームの第１のセットはデータ無線ベアラの第１のセットに関連し、
前記ストリームの第２のセットはデータ無線ベアラの第２のセットに関連する、
請求項９の方法。
【請求項１１】
前記第１のサービスレベルを示すトラフィックを送信することを管理するために、第１のプロトコルに関連するメッセージを第２のプロトコルを介して送信することをさらに備える、請求項１の方法。
【請求項１２】
前記第１のプロトコルは、モビリティマネージャとサービングゲートウェイとの間の通信に関連し、
前記第２のプロトコルは、前記モビリティマネージャと、前記共通エアインターフェースを介して前記アクセス端末と通信するアクセスポイントとの間の通信に関連する、
請求項１１の方法。
【請求項１３】
アクセス端末がローカルサービスを含む第１のサービスレベルにアクセスすることができるように第１のインターネットプロトコルポイントオブプレゼンスを提供するように構成され、ここで、第１のインターネットプロトコルアドレスは、前記第１のサービスレベルに関連する、前記アクセス端末がネットワークサービスを含む第２のサービスレベルにアクセスすることができるように第２のインターネットプロトコルポイントオブプレゼンスを提供するようにさらに構成されたポイントオブプレゼンスコントローラと、ここで、第２のインターネットプロトコルアドレスは、前記第２のサービスレベルに関連する、ここで、前記第１のサービスレベルは、ネットワークにおけるパケットの第１の終端を判断し、前記第２のサービスレベルは、前記ネットワークにおけるパケットの第２の終端を判断する、ここで、前記第１のインターネットプロトコルアドレスは、前記アクセス端末と前記ローカルサービスを提供する第１のエンティティとの間でパケットをルーティングするために使用され、前記第２のインターネットプロトコルアドレスは、前記アクセス端末と前記ネットワークサービスを提供する第２のエンティティとの間でパケットをルーティングするために使用される、
共通エアインターフェースを介して、前記第１のサービスレベルを示すトラフィックと前記第２のサービスレベルを示すトラフィックとを送信するように構成された通信コントローラと
を備える通信のための装置。
【請求項１４】
前記第１のサービスレベルは、パケットをトンネリングすべきでないことを示し、
前記第２のサービスレベルは、パケットをトンネリングすべきであることを示す、
請求項１３の装置。
【請求項１５】
前記第２のサービスレベルは、訪問先ネットワークおよびエッジゲートウェイからなるグループのうちの少なくとも１つにおいて終端するプロトコルトンネルを介してパケットをトンネリングすべきであることを示す、請求項１３の装置。
【請求項１６】
前記第２のサービスレベルは、ホームネットワークおよびコアネットワークゲートウェイからなるグループのうちの少なくとも１つにおいて終端するプロトコルトンネルを介してパケットをトンネリングすべきであることを示す、請求項１３の装置。
【請求項１７】
前記第１のサービスレベルは、さらに、第１のアクセスポイント名に関連し、
前記第２のサービスレベルは、さらに、第２のアクセスポイント名に関連する、
請求項１３の装置。
【請求項１８】
前記第１のサービスレベルを示すトラフィックを送信することは、前記第１のサービスレベルの第１の識別子を定義することと、前記識別子を第１のパケットとともに送信することとを備え、
前記第２のサービスレベルを示すトラフィックを送信することは、前記第２のサービスレベルの第２の識別子を定義することと、前記識別子を第２のパケットとともに送信することとを備える、
請求項１３の装置。
【請求項１９】
前記第１のサービスレベルを示すトラフィックを送信することは、前記第１のサービスレベルに関連する１つまたは複数のストリームの第１のセットを判断することと、前記判断されたストリームの第１のセット中のストリームを介して第１のパケットを送信することとを備え、
前記第２のサービスレベルを示すトラフィックを送信することは、前記第２のサービスレベルに関連する１つまたは複数のストリームの第２のセットを判断することと、前記判断されたストリームの第２のセット中のストリームを介して第２のパケットを送信することとを備える、
請求項１３の装置。
【請求項２０】
アクセス端末がローカルサービスを含む第１のサービスレベルにアクセスすることができるように第１のインターネットプロトコルポイントオブプレゼンスを提供し、ここで、第１のインターネットプロトコルアドレスは、前記第１のサービスレベルに関連する、前記アクセス端末がネットワークサービスを含む第２のサービスレベルにアクセスすることができるように第２のインターネットプロトコルポイントオブプレゼンスを提供するための手段と、ここで、第２のインターネットプロトコルアドレスは、前記第２のサービスレベルに関連するここで、前記第１のサービスレベルは、ネットワークにおけるパケットの第１の終端を判断し、前記第２のサービスレベルは、前記ネットワークにおけるパケットの第２の終端を判断する、ここで、前記第１のインターネットプロトコルアドレスは、前記アクセス端末と前記ローカルサービスを提供する第１のエンティティとの間でパケットをルーティングするために使用され、前記第２のインターネットプロトコルアドレスは、前記アクセス端末と前記ネットワークサービスを提供する第２のエンティティとの間でパケットをルーティングするために使用される、
共通エアインターフェースを介して、前記第１のサービスレベルを示すトラフィックと前記第２のサービスレベルを示すトラフィックとを送信するための手段と、
を備える通信のための装置。
【請求項２１】
前記第１のサービスレベルは、パケットをトンネリングすべきでないことを示し、
前記第２のサービスレベルは、パケットをトンネリングすべきであることを示す、
請求項２０の装置。
【請求項２２】
前記第２のサービスレベルは、訪問先ネットワークおよびエッジゲートウェイからなるグループのうちの少なくとも１つにおいて終端するプロトコルトンネルを介してパケットをトンネリングすべきであることを示す、請求項２０の装置。
【請求項２３】
前記第２のサービスレベルは、ホームネットワークおよびコアネットワークゲートウェイからなるグループのうちの少なくとも１つにおいて終端するプロトコルトンネルを介してパケットをトンネリングすべきであることを示す、請求項２０の装置。
【請求項２４】
前記第１のサービスレベルは、さらに、第１のアクセスポイント名に関連し、
前記第２のサービスレベルは、さらに、第２のアクセスポイント名に関連する、
請求項２０の装置。
【請求項２５】
前記第１のサービスレベルを示すトラフィックを送信することは、前記第１のサービスレベルの第１の識別子を定義することと、前記識別子を第１のパケットとともに送信することとを備え、
前記第２のサービスレベルを示すトラフィックを送信することは、前記第２のサービスレベルの第２の識別子を定義することと、前記識別子を第２のパケットとともに送信することとを備える、
請求項２０の装置。
【請求項２６】
前記第１のサービスレベルを示すトラフィックを送信することは、前記第１のサービスレベルに関連する１つまたは複数のストリームの第１のセットを判断することと、前記判断されたストリームの第１のセット中のストリームを介して第１のパケットを送信することとを備え、
前記第２のサービスレベルを示すトラフィックを送信することは、前記第２のサービスレベルに関連する１つまたは複数のストリームの第２のセットを判断することと、前記判断されたストリームの第２のセット中のストリームを介して第２のパケットを送信することとを備える、
請求項２０の装置。
【請求項２７】
アクセス端末がローカルサービスを含む第１のサービスレベルにアクセスすることができるように第１のインターネットプロトコルポイントオブプレゼンスを提供することと、ここで、第１のインターネットプロトコルアドレスは、前記第１のサービスレベルに関連する、ここで、前記第１のサービスレベルが、ネットワークにおけるパケットの第１の終端を判断する、
前記アクセス端末と前記ローカルサービスを提供する第１のエンティティとの間でパケットをルーティングするための前記第１のインターネットプロトコルアドレスを使用することと、
前記アクセス端末がネットワークサービスを含む第２のサービスレベルにアクセスすることができるように第２のインターネットプロトコルポイントオブプレゼンスを提供することと、ここで、第１のインターネットプロトコルアドレスは、前記第１のサービスレベルに関連する、ここで、前記第２のサービスレベルが、前記ネットワークにおけるパケットの第２の終端を判断する、
前記アクセス端末と前記ネットワークサービスを提供する第２のエンティティとの間でパケットをルーティングするための前記第２のインターネットプロトコルアドレスを使用することと、
共通エアインターフェースを介して、前記第１のサービスレベルを示すトラフィックと前記第２のサービスレベルを示すトラフィックとを送信することと
をコンピュータに行わせるためのコードを備えるコンピュータ可読記録媒体。
【請求項２８】
前記第１のサービスレベルは、パケットをトンネリングすべきでないことを示し、
前記第２のサービスレベルは、パケットをトンネリングすべきであることを示す、
請求項２７のコンピュータ可読記録媒体。
【請求項２９】
前記第１のサービスレベルは、さらに、第１のアクセスポイント名に関連し、
前記第２のサービスレベルは、さらに、第２のアクセスポイント名に関連する、
請求項２７のコンピュータ可読記録媒体。
【請求項３０】
アクセスポイントが、パケットを受信することと、
前記アクセスポイントが、ネットワークにおける前記パケットの終端に関連するサービスレベルを判断することと、ここで、前記サービスレベルの前記判断は、前記アクセスポイントが、前記パケットがローカルサービスに関連するのか、またはネットワークサービスに関連するのかを判断することを備え、ここで、第１のインターネットプロトコルアドレスは前記ローカルサービスに関連し、第２のインターネットプロトコルアドレスは前記ネットワークサービスに関連する、
前記アクセスポイントが、前記判断されたサービスレベルに基づいて、プロトコルトンネルを介して前記パケットを送信すべきかどうかを判断することと、
を備える通信の方法。
【請求項３１】
前記サービスレベルは、パケットをトンネリングすべきかどうかを示す、請求項３０の方法。
【請求項３２】
前記サービスレベルは、訪問先ネットワークおよびエッジゲートウェイからなるグループのうちの少なくとも１つにおいて終端するプロトコルトンネルを介してパケットをトンネリングすべきかどうかを示す、請求項３０の方法。
【請求項３３】
前記サービスレベルは、ホームネットワークおよびコアネットワークゲートウェイからなるグループのうちの少なくとも１つにおいて終端するプロトコルトンネルを介してパケットをトンネリングすべきかどうかを示す、請求項３０の方法。
【請求項３４】
前記サービスレベルは、さらに、アクセスポイント名に関連する、請求項３０の方法。
【請求項３５】
前記パケットは、エアインターフェースを介して、前記パケットを送信したアクセス端末と通信する前記アクセスポイントにおいて受信され、
前記ローカルサービスは、前記アクセスポイントを介して提供されるサービスを備え、
前記ネットワークサービスは、前記プロトコルトンネルを介して前記アクセス端末のための第１のホップルータに提供されるサービスを備える、
請求項３０の方法。
【請求項３６】
前記アクセスポイントは、インターネットプロトコルサブネットワークに関連し、
前記ローカルサービスは、前記インターネットプロトコルサブネットワークに関連するエンティティによって提供されるサービスを備える、
請求項３５の方法。
【請求項３７】
前記サービスレベルの前記判断は、前記アクセスポイントが、前記パケットとともに送信される識別子を判断することを備える、請求項３０の方法。
【請求項３８】
前記サービスレベルの前記判断は、前記アクセスポイントが、前記パケットが送信されるストリームを判断することを備える、請求項３０の方法。
【請求項３９】
前記ストリームはデータ無線ベアラに関連する、請求項３８に記載の方法。
【請求項４０】
パケットを受信するように構成された受信機と、
ネットワークにおける前記パケットの終端に関連するサービスレベルを判断するように構成されたサービスレベル判断器と、ここで、前記サービスレベルの前記判断は、前記パケットがローカルサービスに関連するのか、またはネットワークサービスに関連するのかを判断することを備え、ここで、第１のインターネットプロトコルアドレスは前記ローカルサービスに関連し、第２のインターネットプロトコルアドレスは前記ネットワークサービスに関連する、
前記判断されたサービスレベルに基づいて、プロトコルトンネルを介して前記パケットを送信すべきかどうかを判断するように構成された通信コントローラと、
を備える通信のための装置。
【請求項４１】
前記サービスレベルは、パケットをトンネリングすべきかどうかを示す、請求項４０の装置。
【請求項４２】
前記サービスレベルは、訪問先ネットワークおよびエッジゲートウェイからなるグループのうちの少なくとも１つにおいて終端するプロトコルトンネルを介してパケットをトンネリングすべきかどうかを示す、請求項４０の装置。
【請求項４３】
前記サービスレベルは、ホームネットワークおよびコアネットワークゲートウェイからなるグループのうちの少なくとも１つにおいて終端するプロトコルトンネルを介してパケットをトンネリングすべきかどうかを示す、請求項４０の装置。
【請求項４４】
前記サービスレベルは、アクセスポイント名に関連する、請求項４０の装置。
【請求項４５】
前記サービスレベルの前記判断は、前記パケットとともに送信される識別子を判断することを備える、請求項４０の装置。
【請求項４６】
前記サービスレベルの前記判断は、前記パケットが送信されるストリームを判断することを備える、請求項４０の装置。
【請求項４７】
パケットを受信するための手段と、
ネットワークにおける前記パケットの終端に関連するサービスレベルを判断するための手段と、ここで、前記サービスレベルの前記判断は、前記パケットがローカルサービスに関連するのか、またはネットワークサービスに関連するのかを判断することを備え、ここで、第１のインターネットプロトコルアドレスは前記ローカルサービスに関連し、第２のインターネットプロトコルアドレスは前記ネットワークサービスに関連する、
前記判断されたサービスレベルに基づいて、プロトコルトンネルを介して前記パケットを送信すべきかどうかを判断するための手段と、
を備える通信のための装置。
【請求項４８】
前記サービスレベルは、パケットをトンネリングすべきかどうかを示す、請求項４７の装置。
【請求項４９】
前記サービスレベルは、訪問先ネットワークおよびエッジゲートウェイからなるグループのうちの少なくとも１つにおいて終端するプロトコルトンネルを介してパケットをトンネリングすべきかどうかを示す、請求項４７の装置。
【請求項５０】
前記サービスレベルは、ホームネットワークおよびコアネットワークゲートウェイからなるグループのうちの少なくとも１つにおいて終端するプロトコルトンネルを介してパケットをトンネリングすべきかどうかを示す、請求項４７の装置。
【請求項５１】
前記サービスレベルは、アクセスポイント名に関連する、請求項４７の装置。
【請求項５２】
前記サービスレベルの前記判断は、前記パケットとともに送信される識別子を判断することを備える、請求項４７の装置。
【請求項５３】
前記サービスレベルの前記判断は、前記パケットが送信されるストリームを判断することを備える、請求項４７の装置。
【請求項５４】
パケットを受信することと、
ネットワークにおける前記パケットの終端に関連するサービスレベルを判断することと、ここで、前記サービスレベルの前記判断は、前記パケットがローカルサービスに関連するのか、またはネットワークサービスに関連するのかを判断することを備え、ここで、第１のインターネットプロトコルアドレスは前記ローカルサービスに関連し、第２のインターネットプロトコルアドレスは前記ネットワークサービスに関連する、
前記判断されたサービスレベルに基づいて、プロトコルトンネルを介して前記パケットを送信すべきかどうかを判断することと、
をコンピュータに行わせるためのコードを備えるコンピュータ可読記録媒体。
【請求項５５】
前記サービスレベルは、訪問先ネットワークおよびエッジゲートウェイからなるグループのうちの少なくとも１つにおいて終端するプロトコルトンネルを介してパケットをトンネリングすべきかどうかを示す、請求項５４のコンピュータ可読記録媒体。
【請求項５６】
前記サービスレベルは、ホームネットワークおよびコアネットワークゲートウェイからなるグループのうちの少なくとも１つにおいて終端するプロトコルトンネルを介してパケットをトンネリングすべきかどうかを示す、請求項５４のコンピュータ可読記録媒体。
【請求項５７】
前記サービスレベルは、アクセスポイント名に関連する、請求項５４のコンピュータ可読記録媒体。
【請求項５８】
アクセス端末が、第１のノードと通信するために、第１のＮＡＳインスタンスを使用することと、
前記アクセス端末が、第２のノードと通信するために、第２のＮＡＳインスタンスを使用することと、
前記アクセス端末が、前記第１のノードとの前記通信に基づいて第１のサービスにアクセスし、前記第２のノードとの前記通信に基づいて第２のサービスにアクセスすることと、
を備え、
ここで、前記第１のノードは、前記アクセス端末と無線で通信するアクセスポイントを備え、
前記第１のサービスは、前記アクセスポイントを介して提供されるローカルサービスを備え、
前記第２のサービスは、前記アクセス端末のための第１のホップルータを介して提供されるネットワークサービスを備える、
通信の方法。
【請求項５９】
前記第１のノードは、モビリティ管理およびセッション管理からなるグループのうちの少なくとも１つを前記第１のサービスに提供し、
前記第２のノードは、モビリティ管理およびセッション管理からなるグループのうちの少なくとも１つを前記第２のサービスに提供する、
請求項５８の方法。
【請求項６０】
前記第１のＮＡＳインスタンスは前記第１のサービスのベアラ管理に関連し、
前記第２のＮＡＳインスタンスは前記第２のサービスのベアラ管理に関連する、
請求項５８の方法。
【請求項６１】
前記第１のＮＡＳインスタンスは前記第１のサービスのページング管理に関連し、
前記第２のＮＡＳインスタンスは前記第２のサービスのページング管理に関連する、
請求項５８の方法。
【請求項６２】
前記第１および第２のＮＡＳインスタンスは、様々なタイプのトラフィックのために様々なタイプのページングを提供する、請求項５８の方法。
【請求項６３】
前記パケットは、トンネルにおいて前記第１のホップルータに送信される、請求項５８の方法。
【請求項６４】
前記第１のサービスは、前記アクセス端末からのトラフィックが前記アクセス端末のための第１のホップルータに流れるためのゲートウェイを介して提供されるローカルサービスを備え、
前記第２のサービスは、前記第１のホップルータを介して提供されるネットワークサービスを備える、
請求項５８の方法。
【請求項６５】
第１のノードと通信するために、アクセス端末において第１のＮＡＳインスタンスを使用するように構成され、第２のノードと通信するために、前記アクセス端末において第２のＮＡＳインスタンスを使用するようにさらに構成された制御信号プロセッサと、
前記第１のノードとの前記通信に基づいて第１のサービスにアクセスするように構成され、前記第２のノードとの前記通信に基づいて第２のサービスにアクセスするようにさらに構成された通信コントローラと、
を備え、
ここで、前記第１のノードは、前記アクセス端末と無線で通信するアクセスポイントを備え、
前記第１のサービスは、前記アクセスポイントを介して提供されるローカルサービスを備え、
前記第２のサービスは、前記アクセス端末のための第１のホップルータを介して提供されるネットワークサービスを備える、
通信のための装置。
【請求項６６】
前記第１のノードは、モビリティ管理およびセッション管理からなるグループのうちの少なくとも１つを前記第１のサービスに提供し、
前記第２のノードは、モビリティ管理およびセッション管理からなるグループのうちの少なくとも１つを前記第２のサービスに提供する、
請求項６５の装置。
【請求項６７】
前記第１のＮＡＳインスタンスは前記第１のサービスのベアラ管理に関連し、
前記第２のＮＡＳインスタンスは前記第２のサービスのベアラ管理に関連する、
請求項６５の装置。
【請求項６８】
前記第１のＮＡＳインスタンスは前記第１のサービスのページング管理に関連し、
前記第２のＮＡＳインスタンスは前記第２のサービスのページング管理に関連する、
請求項６５の装置。
【請求項６９】
前記第１および第２のＮＡＳインスタンスは、様々なタイプのトラフィックのために様々なタイプのページングを提供する、請求項６５の装置。
【請求項７０】
前記パケットは、トンネルにおいて前記第１のホップルータに送信される、請求項６５の装置。
【請求項７１】
前記第１のサービスは、前記アクセス端末からのトラフィックが前記アクセス端末のための第１のホップルータに流れるためのゲートウェイを介して提供されるローカルサービスを備え、
前記第２のサービスは、前記第１のホップルータを介して提供されるネットワークサービスを備える、
請求項６５の装置。
【請求項７２】
第１のノードと通信するために、アクセス端末において第１のＮＡＳインスタンスを使用し、第２のノードと通信するために、前記アクセス端末において第２のＮＡＳインスタンスを使用するための手段と、
前記第１のノードとの前記通信に基づいて第１のサービスにアクセスし、前記第２のノードとの前記通信に基づいて第２のサービスにアクセスするための手段と、
を備え、
ここで、前記第１のノードは、前記アクセス端末と無線で通信するアクセスポイントを備え、
前記第１のサービスは、前記アクセスポイントを介して提供されるローカルサービスを備え、
前記第２のサービスは、前記アクセス端末のための第１のホップルータを介して提供されるネットワークサービスを備える、
通信のための装置。
【請求項７３】
前記第１のノードは、モビリティ管理およびセッション管理からなるグループのうちの少なくとも１つを前記第１のサービスに提供し、
前記第２のノードは、モビリティ管理およびセッション管理からなるグループのうちの少なくとも１つを前記第２のサービスに提供する、
請求項７２の装置。
【請求項７４】
前記第１のＮＡＳインスタンスは前記第１のサービスのベアラ管理に関連し、
前記第２のＮＡＳインスタンスは前記第２のサービスのベアラ管理に関連する、
請求項７２の装置。
【請求項７５】
前記第１のＮＡＳインスタンスは前記第１のサービスのページング管理に関連し、
前記第２のＮＡＳインスタンスは前記第２のサービスのページング管理に関連する、
請求項７２の装置。
【請求項７６】
前記第１および第２のＮＡＳインスタンスは、様々なタイプのトラフィックのために様々なタイプのページングを提供する、請求項７２の装置。
【請求項７７】
前記パケットは、トンネルにおいて前記第１のホップルータに送信される、請求項７２の装置。
【請求項７８】
前記第１のサービスは、前記アクセス端末からのトラフィックが前記アクセス端末のための第１のホップルータに流れるためのゲートウェイを介して提供されるローカルサービスを備え、
前記第２のサービスは、前記第１のホップルータを介して提供されるネットワークサービスを備える、
請求項７２の装置。
【請求項７９】
第１のノードと通信するために、アクセス端末において第１のＮＡＳインスタンスを使用することと、
第２のノードと通信するために、前記アクセス端末において第２のＮＡＳインスタンスを使用することと、
前記第１のノードとの前記通信に基づいて第１のサービスにアクセスし、前記第２のノードとの前記通信に基づいて第２のサービスにアクセスすることと、
ここで、前記第１のノードは、前記アクセス端末と無線で通信するアクセスポイントを備え、
前記第１のサービスは、前記アクセスポイントを介して提供されるローカルサービスを備え、
前記第２のサービスは、前記アクセス端末のための第１のホップルータを介して提供されるネットワークサービスを備える、
をコンピュータに行わせるためのコードを備えるコンピュータ可読記録媒体。
【請求項８０】
前記第１のノードは、モビリティ管理およびセッション管理からなるグループのうちの少なくとも１つを前記第１のサービスに提供し、
前記第２のノードは、モビリティ管理およびセッション管理からなるグループのうちの少なくとも１つを前記第２のサービスに提供する、
請求項７９のコンピュータ可読記録媒体。
【請求項８１】
前記第１のＮＡＳインスタンスは前記第１のサービスのベアラ管理に関連し、
前記第２のＮＡＳインスタンスは前記第２のサービスのベアラ管理に関連する、
請求項７９のコンピュータ可読記録媒体。
【請求項８２】
前記第１のＮＡＳインスタンスは前記第１のサービスのページング管理に関連し、
前記第２のＮＡＳインスタンスは前記第２のサービスのページング管理に関連する、
請求項７９のコンピュータ可読記録媒体。
【請求項８３】
前記第１および第２のＮＡＳインスタンスは、様々なタイプのトラフィックのために様々なタイプのページングを提供する、請求項７９のコンピュータ可読記録媒体。
【請求項８４】
前記パケットは、トンネルにおいて前記第１のホップルータに送信される、請求項７９のコンピュータ可読記録媒体。
【請求項８５】
前記第１のサービスは、前記アクセス端末からのトラフィックが前記アクセス端末のための第１のホップルータに流れるためのゲートウェイを介して提供されるローカルサービスを備え、
前記第２のサービスは、前記第１のホップルータを介して提供されるネットワークサービスを備える、
請求項７９のコンピュータ可読記録媒体。
【発明の詳細な説明】
【技術分野】
【０００１】
本出願は、一般に無線通信に関し、より詳細には、限定はしないが、通信パフォーマンスを改善することに関する。
【背景技術】
【０００２】
米国特許法第１１９条に基づく優先権の主張
本出願は、各々の開示が参照により本明細書に組み込まれる、２００８年３月１２日に出願され、代理人整理番号０８１１０５Ｐ１を付与された、同一出願人が所有する米国特許仮出願第６１／０３６，０３７号、２００８年８月２５日に出願され、代理人整理番号０８２４５９Ｐ１を付与された米国特許仮出願第６１／０９１，６７５号、および２００８年１１月１７日に出願され、代理人整理番号０９０５１５Ｐ１を付与された米国特許仮出願第６１／１１５，４３０号の利益および優先権を主張する。
【０００３】
無線通信システムは、様々なタイプの通信（たとえば、音声、データ、マルチメディアサービスなど）を複数のユーザに提供するために広く展開されている。高速なマルチメディアデータサービスの需要が急速に増大するにつれて、向上したパフォーマンスをもつ効率的でロバストな通信システムを実装することが課題となっている。
【０００４】
従来のモバイル電話ネットワークアクセスポイントを補うために、小カバレージアクセスポイントを展開（たとえば、ユーザの家庭に設置）して、よりロバストな屋内無線カバレージをモバイルユニットに与えることができる。そのような小カバレージアクセスポイントは、アクセスポイント基地局、Ｈｏｍｅ  ＮｏｄｅＢまたはフェムトセルとして一般に知られている。一般に、そのような小カバレージアクセスポイントは、ＤＳＬルータまたはケーブルモデムを介してインターネットおよびモバイルオペレータのネットワークに接続される。
【０００５】
いくつかの無線アーキテクチャでは、アクセスポイントは、アクセス端末にまたはアクセス端末からルーティングされたインターネットプロトコル（「ＩＰ」）パケットを処理しないレイヤ２デバイスである。たとえば、逆方向リンク上では、アクセスポイントは、アクセス端末からパケットを受信し、プロトコルトンネルを介してパケットをネットワークにフォワーディングする(forward)ことができる。逆に、順方向リンク上では、アクセスポイントは、ネットワークからプロトコルトンネルを介してパケットを受信し、そのプロトコルトンネルに関連するアクセス端末にパケットを送信することができる。したがって、プロトコルトンネルのエンドポイントは第１のホップルータ（または第１のホップルータの先のノード）とすることができる。したがって、アクセス端末からのどのパケットも、その宛先にフォワーディングされる前にこのルートを通過する。同様に、アクセス端末に宛てられたどのパケットも、このトンネルのエンドポイントデバイスを介してルーティングされる。しかしながら、第１のホップルータがアクセス端末から比較的遠くに位置するときは、準最適ルーティングを行うことができる。さらに、サービスは（たとえば、ローカルサービスに関連するルータのファイアウォールにより）第１のホップルータから見えないので、アクセス端末はローカルサービスにアクセスすることができない。したがって、無線ネットワークのルーティング技術の改善が必要である。
【発明の概要】
【０００６】
本開示の例示的な態様の概要について以下で説明する。本明細書における態様という用語への言及は、本開示の１つまたは複数の態様を指すことがあることを理解されたい。
【０００７】
本開示は、ある態様では、１つまたは複数のローカルサービスへのアクセスを可能にするためのローカルブレークアウト(local breakout)を提供することに関する。たとえば、アクセス端末が、ローカルアクセスポイントおよび／またはローカルゲートウェイを介してアクセスできる１つまたは複数のサービスにアクセスすることができるように、ローカルアクセスポイントおよび／またはローカルゲートウェイによってローカルブレークアウトを提供することができる。
【０００８】
本開示は、ある態様では、アクセス端末に複数のＩＰポイントオブプレゼンス(points of presence)（たとえば、接続ポイント）を提供することに関する。ここで、各ポイントオブプレゼンスは、異なるサービス（たとえば、異なるサービスレベル）に対応することができる。たとえば、あるポイントオブプレゼンスはローカルサービスに関係することができ、別のポイントオブプレゼンスはコアネットワークサービスに関係することができる。したがって、いくつかの態様では、サービスレベルは、ネットワークにおけるパケットの終端に関することがある。いくつかの態様では、アクセス端末は複数のＩＰポイントオブプレゼンスを使用して、関連するアクセスポイントを介してサービスにアクセスし、アクセス端末とアクセスポイントは単一のエアインターフェースを介して通信する。
【０００９】
本開示は、ある態様では、パケットに関連するサービスレベルを示す方法でパケットを送信することに関する。このようにして、パケットを無線で送信するノードが、パケットの終端ポイントを示すことができる。いくつかの態様では、サービスレベルは、そのパケットがプロトコルトンネルを介して送信されるべきかどうかを示し、および／またはパケットをルーティングするために使用されるプロトコルトンネルのエンドポイントを示すことができる。一例として、アクセス端末は、パケットが送信される特定のストリームを指定することによって、または（たとえば、ヘッダにおいて）パケットとともに適切な識別子を送信することによって、パケットのサービスレベルを識別することができる。次いで、このパケットをアクセス端末から無線で受信するアクセスポイントは、識別されたサービスレベルに基づいて、パケットをどのように送信すべきかを判断する（たとえば、トンネルを介してパケットを送信すべきかどうかを判断し、および／またはエンドポイントを判断する）ことができる。
【００１０】
本開示は、ある態様では、システム中の様々なノードにおいて異なるモビリティ管理機能(mobility management functionality)および／またはセッション管理機能(session management functionality)を提供することに関し、それにより、異なるトラフィックに対して、所与のノードのモビリティおよび／またはセッション管理を異なるノードによって提供することができる。たとえば、ネットワークノードは、コアネットワークトラフィックに関連するモビリティおよび／またはセッション管理を提供することができ、ローカルノードは、ローカルノードにおけるローカルトラフィックに関連するモビリティおよび／またはセッション管理を提供することができる。
【００１１】
本開示は、ある態様では、様々なサービスへのアクセス（たとえば、ローカルＩＰアクセス対ネットワークＩＰアクセス）をセットアップするための複数のノンアクセスストラタム(non access stratum)（「ＮＡＳ」）インスタンスをサポートするアクセス端末に関する。たとえば、ローカルサービスへのアクセスを可能にするために（たとえば、ローカルモビリティおよびセッション管理を処理する）ローカルモビリティマネージャと通信するために、１つまたは複数のＮＡＳインスタンスを定義することができ、一方、コアネットワークサービスへのアクセスを可能にするために（たとえば、コアネットワークモビリティおよびセッション管理を処理する）ネットワークモビリティマネージャと通信するために、１つまたは複数の他のＮＡＳインスタンスを定義することができる。
【００１２】
本開示は、ある態様では、様々なタイプのトラフィックのために様々なタイプのページングを提供することに関する。たとえば、ローカルトラフィックのためのページングはローカルモビリティマネージャによって管理でき、ネットワークトラフィックのためのページングはネットワークモビリティマネージャによって管理できる。
【００１３】
本開示は、ある態様では、１つのプロトコル（たとえば、Ｓ１１）に典型的に関連するメッセージを別のプロトコル（たとえば、Ｓ１）によって搬送することに関する。たとえば、サービングゲートウェイとモビリティマネージャとの間で送信される、ベアラ(bearers)を生成することに関係するＳ１１プロトコルメッセージを、モビリティマネージャと、サービングゲートウェイとコロケートされた(co-located)アクセスポイントとの間でＳ１プロトコルによって搬送することができる。
【００１４】
本開示のこれらおよび他の例示的な態様について、以下の詳細な説明および添付の特許請求の範囲、ならびに添付の図面において説明する。
【図面の簡単な説明】
【００１５】
【図１】ローカルブレークアウトを提供するように構成された無線通信システムのいくつかの例示的な態様の簡略ブロック図。
【図２】複数のポイントオブプレゼンスを提供することに関連して実行できる動作のいくつかの例示的な態様のフローチャート。
【図３】無線パケットのポイントオブプレゼンスを識別することに関連して実行できる動作のいくつかの例示的な態様のフローチャート。
【図４】無線パケットのサービスレベルを判断することに関連して実行できる動作のいくつかの例示的な態様のフローチャート。
【図５】分散制御管理機能を提供することに関連して実行できる動作のいくつかの例示的な態様のフローチャート。
【図６】ローカルブレークアウトを提供することに関連して採用できる無線ノードの構成要素のいくつかの例示的な態様の簡略化ブロック図。
【図７】ローカルブレークアウトを提供するように構成された無線通信システムのいくつかの例示的な態様の簡略ブロック図。
【図８】例示的な制御プレーンプロトコルスタックの簡略図。
【図９】例示的なデータプレーンプロトコルスタックの簡略図。
【図１０】例示的な接続コールフローを示す簡略図。
【図１１】例示的なトリガされたサービス要求コールフローを示す簡略図。
【図１２】例示的なトリガされたサービス要求コールフローを示す簡略図。
【図１３】ローカルブレークアウトを提供するように構成された無線通信システムのいくつかの例示的な態様の簡略ブロック図。
【図１４】例示的な接続コールフローを示す簡略図。
【図１５】１つのプロトコルに関連するメッセージを別のプロトコルによって搬送する例示的な接続コールフローを示す簡略図。
【図１６】ローカルブレークアウトを提供するように構成された無線通信システムのいくつかの例示的な態様の簡略ブロック図。
【図１７Ａ】ローカルブレークアウトのための複数のリンクをサポートするための複数のキーを採用する無線通信システムのいくつかの例示的な態様の簡略ブロック図。
【図１７Ｂ】ローカルブレークアウトのための複数のリンクをサポートするための複数のキーを採用する無線通信システムのいくつかの例示的な態様の簡略ブロック図。
【図１８Ａ】ローカルブレークアウトのための複数のリンクをサポートするための単一のキーを採用する無線通信システムのいくつかの例示的な態様の簡略ブロック図。
【図１８Ｂ】ローカルブレークアウトのための複数のリンクをサポートするための単一のキーを採用する無線通信システムのいくつかの例示的な態様の簡略ブロック図。
【図１９】無線通信のためのカバレージエリアを示す簡略図。
【図２０】無線通信システムの簡略図。
【図２１】フェムトノードを含む無線通信システムの簡略図。
【図２２】通信構成要素のいくつかの例示的な態様の簡略ブロック図。
【図２３】本明細書で教示する、ローカルブレークアウトを可能にするように構成された装置のいくつかの例示的な態様の簡略ブロック図。
【図２４】本明細書で教示する、ローカルブレークアウトを可能にするように構成された装置のいくつかの例示的な態様の簡略ブロック図。
【図２５】本明細書で教示する、ローカルブレークアウトを可能にするように構成された装置のいくつかの例示的な態様の簡略ブロック図。
【詳細な説明】
【００１６】
慣例により、図面中に示された様々な特徴は一定の縮尺で描かれていないことがある。したがって、様々な特徴の寸法は、分かりやすいように任意に拡大または縮小されることがある。さらに、図面のいくつかは、分かりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【００１７】
本開示の様々な態様について以下で説明する。本明細書の教示は多種多様な形態で実施でき、本明細書で開示されている特定の構造、機能、またはその両方は代表的なものにすぎないことは明らかであろう。本明細書の教示に基づいて、本明細書で開示される態様は他の態様とは独立に実装できること、およびこれらの態様のうちの２つ以上を様々な方法で組み合わせることができることを、当業者なら諒解されたい。たとえば、本明細書に記載の態様をいくつ使用しても、装置を実現し、または方法を実施することができる。さらに、本明細書に記載の態様のうちの１つまたは複数に加えて、あるいはそれら以外の他の構造、機能、または構造および機能を使用して、そのような装置を実現し、またはそのような方法を実施することができる。さらに、態様は、請求項の少なくとも１つの要素を備えることができる。
【００１８】
図１に、例示的な通信システム１００（たとえば、通信ネットワークの一部）中のいくつかのノードを示す。説明のために、本開示の様々な態様について、互いに通信する１つまたは複数のアクセス端末、アクセスポイント、ゲートウェイ、およびネットワークノードの文脈で説明する。ただし、本明細書の教示は、他のタイプの装置、または他の用語を使用して参照される他の同様の装置に適用可能であることを諒解されたい。たとえば、様々な実施形態では、アクセスポイントを基地局と呼ぶことまたは基地局として実装すること、アクセス端末をユーザ機器と呼ぶことまたはユーザ機器として実装すること、などが可能である。
【００１９】
システム１００は、関連する地理的エリア内に常駐し得るか、または関連する地理的エリア全体にわたってローミングし得る１つまたは複数のアクセス端末のために、１つまたは複数のサービス（たとえば、ネットワーク接続性）を提供するアクセスポイントを含む。図１の複雑さを低減するために、唯一のアクセスポイント１０２、および唯一のアクセス端末１０４のみを示してある。システム１００中のアクセスポイントの各々は、ワイドエリアネットワーク接続性を可能にするために、１つまたは複数のネットワークノード（たとえば、第１のホップルータ１０６および他のネットワークノード１０８）と通信することができる。そのようなネットワークノードは、たとえば、１つまたは複数の無線および／またはコアネットワークエンティティ（たとえば、モビリティ管理エンティティ、セッションリファレンスネットワークコントローラ、ゲートウェイ、ルータ、または何らかの他の好適な（１つまたは複数の）ネットワークエンティティ）、１つまたは複数の対応ノードなどの様々な形態をとることができる。
【００２０】
システム１００は、様々なサービス（たとえば、様々なサービスレベル）へのアクセスを提供する様々なノードを含む。特に、システム１００は、（たとえば、訪問先ネットワークにおいて）１つまたは複数のローカルサービスにローカルブレークアウトを提供する１つまたは複数のノード（たとえば、ローカルルータ１１０およびゲートウェイ１１２）を含む。たとえば、ローカルルータ１１０は、アクセス端末１０４が１つまたは複数のローカルサービス１１４にアクセスすることを可能にすることができる。同様に、ゲートウェイ１１２（たとえば、エッジゲートウェイ）は、アクセス端末１０４が１つまたは複数のローカルサービス１１６にアクセスすることを可能にすることができる。
【００２１】
これらのローカルサービスは様々な形態をとることができる。たとえば、いくつかの実施形態では、ローカルサービス１１４は、ローカルネットワークによって（たとえば、ローカルルータ１１０によって制御される同じＩＰサブネットワーク上の様々なエンティティによって）提供されるサービスに関係することができる。そのようなローカルネットワークサービスは、たとえば、ローカルプリンタ、ローカルサーバ、または何らかの他のエンティティへのアクセスを含むことができる。いくつかの実施形態では、ローカルサービス１１４はインターネット接続性を含むことができる。たとえば、ローカルルータ１１０は、アクセス端末１０４が、特定のロケーション（たとえば、ユーザの家庭、インターネットホットスポットなど）において、インターネットサービスプロバイダ（「ＩＳＰ」）によって提供されるインターネット接続にアクセスすることを可能にすることができる。いくつかの実施形態では、ローカルサービス１１６は、本質的にローカルであるネットワーク関連のサービスに関係することができる。たとえば、ローカルサービス１１６は、他のサービスを取得するためにアクセス端末１０４が使用することができるロケーション（たとえば、位置）情報に関係することができる。
【００２２】
ローカルブレークアウトを可能にするために、アクセス端末１０４に複数のＩＰポイントオブプレゼンス(points of presence)（「ＰＯＰ」）が提供される。各ポイントオブプレゼンスとともに、アクセス端末１０４は、対応するサービスレベルに関連する（ＩＰアドレスに関連する）対応するＩＰインターフェースを提供する。したがって、アクセス端末１０４は、第１のＩＰアドレスを第１のサービスレベル（たとえば、ネットワークサービス）にアクセスするために使用し、第２のＩＰアドレスを第２のサービスレベル（たとえば、ローカルサービス）にアクセスするために使用することができる。たとえば、アクセス端末１０４がコアネットワークを介して（たとえば、ホームネットワークから）サービスを取得するために第１のホップルータ１０６（たとえば、コアネットワークゲートウェイ）と通信することを可能にするように、１つまたは複数のネットワークポイントオブプレゼンス１１８を定義することができる。さらに、アクセス端末１０４がローカルサービスにアクセスするためにローカルエンティティと通信することを可能にするように、１つまたは複数のネットワークポイントオブプレゼンス１２０を定義することができる。たとえば、アクセス端末１０４はローカルサービス１１４にアクセスするためにポイントオブプレゼンス１２０Ａを使用することができ、アクセス端末１０４はローカルサービス１１６にアクセスするためにポイントオブプレゼンス１２０Ｂを使用することができる。
【００２３】
次に、例示的なローカルブレークアウトに関連する動作について、図２〜図５のフローチャートに関連してより詳細に論じる。便宜上、図２〜図５の動作（または本明細書で論じるまたは教示する他の動作）は、特定の構成要素（たとえば、システム１００および／または図６に示すシステム６００の構成要素）によって実行されるものとして説明する。ただし、これらの動作は、他のタイプの構成要素によって実行でき、異なる個数の構成要素を使用して実行できることを諒解されたい。また、本明細書で説明する動作の１つまたは複数は、所与の実施形態では採用されない場合があることを諒解されたい。
【００２４】
最初に図２を参照しながら、ローカルブレークアウトとともに複数のポイントオブプレゼンスを提供することに関係するいくつかの動作について説明する。ブロック２０２および２０４は、アクセス端末１０４のためのポイントオブプレゼンスを提供することに関係する。ポイントオブプレゼンスは、様々な実施形態における様々なパラメータに関係することができる。たとえば、いくつかの実施形態（たとえば、ＬＴＥベースの実施形態）では、各ポイントオブプレゼンスは、ベアラサービスに関連する異なるアクセスポイント名（「ＡＰＮ」）に関係することができる。したがって、第１のサービスレベル（たとえば、ローカルサービス）は１つのＡＰＮ  ＩＤに関連することができ、別のサービスレベル（たとえば、コアネットワークサービス）は別のＡＰＮ  ＩＤに関連することができる。いくつかの実施形態（たとえば、ＵＭＢベースの実施形態）では、各ポイントオブプレゼンスは、異なるリンクＩＤに関係することができる。したがって、第１のサービスレベルは１つのリンクＩＤに関連することができ、別のサービスレベルは別のリンクＩＤに関連することができる。
【００２５】
ブロック２０２で表されるように、ローカルサービスのための第１のポイントオブプレゼンスを提供する。ここで、アクセスポイント１０２は（たとえば、ローカルルータ１１０と協働して）、ローカルトラフィックをアクセス端末１０４との間でルーティングすることに関連して使用するＩＰアドレスをアクセス端末１０４に割り当てることができる。たとえば、ローカルルータ１１０を介してローカルサービス１１４にアクセスするために１つのＩＰアドレスを割り当てることができる。代替的にまたは追加として、ゲートウェイ１１２を介してローカルサービス１１６にアクセスするためにＩＰアドレスを割り当てることができる。それにより、アクセスポイント１０２は、アクセス端末１０４とローカルサービスを提供するエンティティとの間でパケットをルーティングするために、ローカルＩＰアドレスを使用することができる。
【００２６】
ブロック２０４で表されるように、ネットワークサービスのための第２のポイントオブプレゼンスを提供する。この場合、ネットワーク（たとえば、第１のホップルータ１０６）は、ネットワークトラフィックをアクセス端末１０４との間でルーティングすることに関連して使用するＩＰアドレスをアクセス端末１０４に割り当てることができる。それにより、アクセスポイント１０２は、アクセス端末１０４とネットワークサービスを提供するエンティティとの間でパケットをルーティングするために、このＩＰアドレスを使用することができる。
【００２７】
ブロック２０６〜２１２は、制御管理機能が分散された実施形態において採用できる動作に関係する。特に、図７に関連してより詳細に説明するように、いくつかの実施形態では、所与のアクセス端末のための制御管理機能は、様々なエンティティによって提供できる。たとえば、ローカルサービスに関係するモビリティ管理機能は、ローカルモビリティマネージャ（図１に図示せず）によって提供できる。逆に、ネットワークサービスに関係するモビリティ管理機能は、ネットワークモビリティ管理エンティティ（図１に図示せず）によって提供できる。
【００２８】
ブロック２０６で表されるように、ローカル制御マネージャは、ローカルトラフィックのために１つまたは複数のストリームを確立し、他のセッション管理機能を提供する。たとえば、ローカルモビリティ管理エンティティ（「ＭＭＥ」）は、アクセス端末１０４がローカルサービスプロバイダと通信することを可能にするために、１つまたは複数のベアラをセットアップする。この目的で、ローカルＭＭＥは、ローカルサービスのためにベアラセットアップ、サービス品質（「ＱｏＳ」）、およびＩＰアドレスを管理することができる。
【００２９】
ブロック２０８で表されるように、ネットワーク制御マネージャはまた、ネットワークトラフィックのために１つまたは複数のストリームを確立し、他のセッション管理機能を提供する。たとえば、ネットワークモビリティ管理エンティティ（「ＭＭＥ」）は、アクセス端末１０４がネットワークサービスプロバイダと通信することを可能にするために、１つまたは複数のベアラをセットアップする。この目的で、ネットワークＭＭＥは、コアネットワークサービスのためにベアラセットアップ、サービス品質（「ＱｏＳ」）、およびＩＰアドレスを管理することができる。
【００３０】
ブロック２１０で表されるように、ローカル制御マネージャはまた、ローカルトラフィックのためにページングを管理し、他のモビリティ管理機能を提供する。たとえば、ローカルサービスプロバイダから（たとえば、アクセスポイント１０２において）ローカルトラフィックを受信すると、ローカルモビリティ管理エンティティ（「ＭＭＥ」）は、アクセス端末１０４が現在スリープモード（たとえば、低電力モード）にある場合、アクセスポイント１０２にアクセス端末１０４をページングさせることができる。ここで、トラフィックはローカルサービスに関連するので、ローカルＭＭＥは（他のいかなる隣接アクセスポイントでもなく）アクセスポイント１０２でのみページングを開始することができる。
【００３１】
ブロック２１２で表されるように、ネットワーク制御マネージャは、ネットワークトラフィックのためにページングを管理し、他のモビリティ管理機能を提供することができる。たとえば、（たとえば、第１のホップルータ１０６において）ネットワークトラフィックを受信すると、ネットワークモビリティ管理エンティティ（「ＭＭＥ」）は、アクセス端末１０４が現在スリープモードにある場合、アクセス端末１０４がページングされるようにすることができる。ここで、受信したトラフィックは通常のネットワークトラフィックとすることができるので、ネットワークＭＭＥは標準ネットワークページングルールに従ってページングを開始することができる。たとえば、アクセス端末１０４は、１つまたは複数のトラッキングエリア、１つまたは複数のゾーンなどに関連するアクセスポイントのすべてによってページングすることもでき、アクセス端末１０４は、距離ベースのページングルールまたは他のタイプのページングルールに基づいてページングすることもできる。
【００３２】
ここで図３および図４を参照しながら、ローカルブレークアウトに関連して複数のポイントオブプレゼンスを識別することに関係するいくつかの動作について説明する。これらの動作は、たとえば、アクセス端末とアクセスポイントとの間を無線で進むパケットの終端ポイントを効率的に識別するために採用できる。たとえば、アクセス端末からトンネリングされたパケットを受信するアクセスポイントがパケットのＩＰ宛先を判断することは実際的または可能ではないことがある。したがって、そのようなパケットを効率的にルーティングするためのいくつかの技法について説明する。
【００３３】
図３には、比較的ハイレベルでこれらの動作が記載されている。図３のブロック３０２で表されるように、パケットのためのプロトコルトンネルの終端を示すために、最初にノードが無線パケットのポイントオブプレゼンスを識別する。次いで、ノードは、識別したポイントオブプレゼンスに基づいてパケットを送信する（ブロック３０４）。図４でより詳細に説明するように、これらのハイレベルの動作はアクセス端末およびアクセスポイントで実行できる。たとえば、アクセス端末は、送信するパケットのポイントオブプレゼンスを判断することができ、この判断に基づいてパケットを無線で送信することができる。逆に、アクセスポイントは、無線で受信したパケットのポイントオブプレゼンスを判断し、次いで識別されたポイントオブプレゼンスに基づいてパケットをフォワーディングする(forward)ことができる。
【００３４】
次に図４を参照すると、ブロック４０２および４０４で表されるように、アクセス端末が様々なサービスレベルにアクセスすることを可能にするために、アクセス端末の様々なＩＰポイントオブプレゼンスを提供する。ここで、各サービスレベルはネットワークにおけるパケットの様々な終端を判断することができる。言い換えれば、サービスレベルは、アクセス端末からのパケットがネットワーク中のどこから出てくるかを示すことができる。たとえば、サービスレベルは、パケットをトンネリングすべきかどうかを示すことができる（たとえば、ローカルサービスレベルはトンネルがないことを示すことができ、コアネットワークサービスレベルはトンネルがあることを示すことができる）。別の例として、サービスレベルは、訪問先ネットワークにおいて、および／またはコアゲートウェイにおいて終端するトンネルを介してパケットを送信することを示すことができる。さらに別の例として、サービスレベルは、ホームネットワークにおいて、および／またはコアゲートウェイにおいて終端するトンネルを介してパケットを送信することを示すことができる。サービスレベルは、様々な方法で（たとえば、数によって、ＡＳＣＩＩテキストによってなど）示すことができることを諒解されたい。
【００３５】
ブロック４０６で表されるように、アクセス端末がアクセスポイントにパケットを無線で送信する必要があるとき、アクセス端末は、そのトラフィックのポイントオブプレゼンスを識別する。上述のように、いくつかの態様では、ポイントオブプレゼンスは、様々なサービスレベル（たとえば、ローカルトラフィックまたはネットワークトラフィック）に関係することができる。いくつかの態様では、ポイントオブプレゼンスは、トンネルのエンドポイントのＰＳＮゲートウェイを示す。したがって、いくつかの態様では、ポイントオブプレゼンスは、（たとえば、ホームネットワークまたは訪問先ネットワークに位置することができる）そのエンドポイントのネットワーク内の深さを示すのに役立つことができる。
【００３６】
いくつかの実施形態では、様々なサービスレベルは、（たとえば、様々なサービス品質パラメータに関連する）様々なストリームに関連することができる。たとえば、第１のサービスレベルは１つまたは複数のストリームの第１のセットに関連することができ、第２のサービスレベルは１つまたは複数のストリームの第２のセットに関連することができる。したがって、ブロック４０６の動作は、特定の無線パケットを送信する、所与のサービスレベルのためのストリームを、（たとえば、対応するセットからストリームを識別することによって）識別することを含むことができる。そのようなストリームは、様々な実施形態において様々な形態をとることができる。たとえば、ＬＴＥベースの実施形態では、ストリームの様々なセットがデータ無線ベアラ（「ＤＲＢ」）の様々なセットに関係することができる。
【００３７】
いくつかの実施形態では、サービスレベルに関連する固有識別子(unique identifiers)を使用することによって、様々なサービスレベルを識別することができる。たとえば、パケットを無線で送信するときに、パケットとともにそのような識別子を送信することができる。したがって、この場合、ブロック４０２の動作は、無線で送信するパケットのサービスレベルに関連する識別子を判断することを含むことができる。
【００３８】
次いで、ブロック４０８で表されるように、アクセス端末はサービスレベルを示すトラフィックを送信する。上述のように、いくつかの実施形態では、これは適切なストリームを介してパケットを無線で送信することを含むことができる。逆に、他の実施形態では、これは、パケットとともに適切な識別子を送信することを含むことができる。いくつかの実施形態では、パケットヘッダを介してこの識別子を送信することができる。たとえば、識別子を含む特殊なパケットヘッダを、パケットのＩＰパケットヘッダとエアインターフェースパケットヘッダ（たとえば、ＲＬＰヘッダ）との間に挿入することができる。
【００３９】
次いで、ブロック４１０で表されるように、アクセスポイントはパケットを無線で受信する。次いで、ブロック４１２で表されるように、アクセスポイントはパケットのサービスレベルを判断する。たとえば、アクセスポイントは、パケットが送信されたストリームを判断することによって、またはパケットとともに送信された識別子を読み取ることによって、サービスレベルを識別することができる。
【００４０】
ブロック４１４で表されるように、アクセスポイントは、判断したサービスレベルに基づいて、パケットを送信する方法を判断する。サービスレベルに基づいて、アクセスポイントは、ネットワークにおけるパケットのための終端（たとえば、エンドポイント）を判断する。たとえば、上述のように、サービスレベルは、パケットをトンネリングすべきか、トンネリングすべきでないかを示すことができる。パケットをトンネリングすべきである場合、サービスレベルはトンネルがどこで終端するか（たとえば、訪問先ネットワーク、エッジゲートウェイ、ホームネットワーク、コアネットワークゲートウェイ）を示すことができる。言い換えれば、いくつかの態様では、パケットのエンドポイントは、アクセス端末から別のノード（たとえば、第１のホップルータ１０６または図１のローカルサービスプロバイダ）にパケットを送信するプロトコルトンネルの終端に対応することができる。したがって、（たとえば、ネットワークサービスまたはローカルサービスに関連する）指定されたエンドポイントに、比較的効率的な方法でパケットをルーティングすることができる。
【００４１】
次に図５を参照しながら、分散ＭＭＥ(distributed MMEs)の使用に関係するいくつかの動作について説明する。ブロック５０２および５０４は、アクセス端末のための何らかのＭＭＥ機能を１つのノードにおいて提供し、アクセス端末のための他のＭＭＥ機能を別のノードにおいて提供する実施形態において実行できる動作に関係する。
【００４２】
ブロック５０２で表されるように、第１のノード（たとえば、ローカルノード）において第１のＭＭＥを提供する。たとえば、以下の図７に関連してより詳細に説明するように、ローカルＭＭＥ機能をアクセスポイントに実装することができる。このローカルＭＭＥは、たとえば、アクセス端末との間を流れるローカルブレークアウトトラフィックのためのベアラおよびページング管理と、他のモビリティおよびセッション管理とを行うことができる。
【００４３】
ブロック５０４で表されるように、システム中の別のノードにおいて第２のＭＭＥを提供する。たとえば、コアネットワークＭＭＥ機能をコアネットワークノードに実装することができる。このネットワークＭＭＥは、たとえば、アクセス端末との間を流れるコアネットワークトラフィックのためのベアラおよびページング管理と、他のモビリティおよびセッション管理とを行うことができる。
【００４４】
ブロック５０６および５０８は、様々なサービスへのアクセスを可能にするために制御シグナリングの複数のインスタンスをサポートすることに関連して実行できる動作に関係する。たとえば、アクセス端末は、様々なノードにおける様々なＭＭＥと通信するための複数のＮＡＳインスタンスをサポートすることができる。
【００４５】
ブロック５０６で表されるように、アクセス端末は、第１の制御シグナリング（たとえば、ＭＭＥにおいて終端する制御プレーントラフィック）を介して第１のＭＭＥと通信する。たとえば、アクセス端末は、１つまたは複数のローカルサービスへのアクセスを可能にするためにローカルＭＭＥと通信するための第１のＮＡＳインスタンスをサポートすることができる。
【００４６】
ブロック５０８で表されるように、アクセス端末は第２の制御シグナリングを介して第２のＭＭＥと通信する。たとえば、アクセス端末は、１つまたは複数のネットワークサービスへのアクセスを可能にするためにネットワークＭＭＥと通信するための第２のＮＡＳインスタンスをサポートすることができる。
【００４７】
いくつかの態様では、モビリティ管理およびセッション管理のためにＮＡＳシグナリングを使用する。たとえば、モビリティ管理は、アクセス端末のために、モビリティを管理することと、ページングを管理することとを含むことができる。さらに、セッション管理は、アクセス端末のために、ベアラセットアップ、ＱｏＳ、および様々なＩＰアドレスを管理することを含むことができる。ここで、ＮＡＳシグナリングは、アクセス端末と制御マネージャ（たとえば、ＭＭＥ）との間の制御プレーンメッセージングに関係し、アクセス端末と、無線アクセスを制御する（たとえば、エアインターフェースを介してＮＡＳシグナリングのルートを確立する）関連するアクセスポイントとの間のアクセスストラタム(access stratum)（「ＡＳ」）と区別される。また、すべてのＮＡＳインスタンスのためのＮＡＳシグナリングは、アクセス端末と、関連するアクセスポイントとの間で、同じ（すなわち、共通の）エアインターフェースを通してルーティングできることを諒解されたい。
【００４８】
次いで、ブロック５１０で表されるように、アクセス端末は共通エアインターフェースを介して第１のサービスおよび第２のサービスにアクセスする。ここで、第１のサービスへのアクセスは第１のＮＡＳインスタンスによって可能になり、第２のサービスへのアクセスは第２のＮＡＳインスタンスによって可能になる。
【００４９】
図６に、本明細書で教示するローカルブレークアウトに関連する機能を提供するためにアクセスポイント６０２およびアクセス端末６０４などのノードにおいて採用できるいくつかの構成要素を示す。記載の構成要素は、通信システム中の他のノードに組み込むこともできることを諒解されたい。たとえば、システム中の他のノードには、同様の機能を提供する、アクセスポイント６０２とアクセス端末６０４とに関して記載する構成要素と同様の構成要素がある。さらに、所与のノードは、記載の構成要素のうちの１つまたは複数を含むことができる。たとえば、ノードは、ノードが複数の周波数上で動作し、および／または様々な技術によって通信できるようにする、複数のトランシーバ構成要素を含むことができる。
【００５０】
図６に示すように、アクセスポイント６０２およびアクセス端末６０４は、互いに通信するため、および他のノードと通信するために、それぞれのトランシーバ６０６および６０８を含むことができる。トランシーバ６０６は、信号（たとえば、メッセージおよびパケット）を送信するための送信機６１０と、信号を受信するための受信機６１２とを含む。同様に、トランシーバ６０８は、信号を送信するための送信機６１４と、信号を受信するための受信機６１６とを含む。
【００５１】
アクセスポイント６０２およびアクセス端末６０４は、本明細書で教示するローカルブレークアウト動作と連携して使用される他の構成要素をも含む。たとえば、アクセスポイント６０２およびアクセス端末６０４は、様々なサービス（たとえば、ローカルサービスおよびネットワークサービス）にアクセスするための複数のポイントオブプレゼンスを提供する（たとえば、定義および／または維持する）ため、および本明細書で教示する他の関連する機能を提供するための、それぞれのポイントオブプレゼンスコントローラ６１８および６２０を含むことができる。アクセスポイント６０２およびアクセス端末６０４は、トラフィック（たとえば、様々なサービスレベル、メッセージ、およびパケットを示すトラフィック）を送信および受信するため、サービスにアクセスするため、パケットを送信する方法（たとえば、トンネルを使用するかどうか）を判断するため、および本明細書で教示する他の関連する機能を提供するための、それぞれの通信コントローラ６２２および６２４を含むことができる。アクセスポイント６０２およびアクセス端末６０４それぞれは、（たとえば、ＭＭＥとの間の）制御シグナリングを送信および／または受信するための、複数のＮＡＳインスタンスをサポートする（たとえば、使用および／または定義する）ため、および他の関連する機能を本明細書で教示する提供するための、制御信号プロセッサ６２６および６２８を含むことができる。アクセスポイント６０２は、サービスレベルを判断するため、および本明細書で教示する他の関連する機能を提供するためのサービスレベル判断器６３０を含むことができる。
【００５２】
本明細書の教示は様々な通信システムに適用可能である。たとえば、本明細書で説明する技法は、ウルトラモバイルブロードバンド(Ultra Mobile Broadband)ベースの（「ＵＭＢベースの」）システム、ロングタームエボリューション(Long Term Evolution)ベースの（「ＬＴＥベースの」）システム、または何らかの他のタイプの通信システムに実装することができる。説明のために、図７〜図１５に関連する以下の説明では、いくつかの例示的な実施形態の詳細についてＬＴＥベースの通信システムの文脈で説明する。さらに、図１６〜図１８Ｂに関連する以下の説明では、いくつかの例示的な実施形態の詳細についてＵＭＢベースの通信システムの文脈で説明する。以下で論じる構成要素および／または動作の一部または全部は、他のタイプの通信システムに組み込むことができることを諒解されたい。
【００５３】
図７に、たとえば、ＵＭＴＳ地上波無線アクセスネットワーク（「ＵＴＲＡＮ」）構成要素、ＧＳＭ（登録商標）エッジ無線アクセスネットワーク（「ＧＥＲＡＮ」）構成要素、および進化型パケットコア(evolved packet core)（「ＥＰＣ」）構成要素を含むＬＴＥベースのネットワークの一部を備える例示的な通信システム７００中のいくつかのノードを示す。この例では、ユーザ機器（「ＵＥ」）７０２は、ホームｅＮｏｄｅＢ（「ＨＥＮＢ」）７０４（および潜在的に他のＵＴＲＡＮネットワーク要素、図示せず）と無線で通信する。
【００５４】
ローカルブレークアウトを可能にするために、従来よりネットワーク中に実装されている機能の一部分を、代わりにＨＥＮＢ７０４において実装する。詳細には、ホームサービングゲートウェイ(home serving gateway)（「ＨＳＧＷ」）７０６、ホームパケットデータネットワークゲートウェイ(home packet data network gateway)（「ＨＰＧＷ」）７０８、およびホームＭＭＥ（「ＨＭＭＥ」）７１０が、ＨＥＮＢ７０４とコロケートされている。便宜のために、本明細書では、これらのコロケートされた構成要素を、それぞれローカルＳＧＷ、ローカルＰＧＷ、およびローカルＭＭＥと呼ぶことがある。さらに、本明細書では、ＨＥＮＢ７０４およびコロケートされた構成要素を、集合的にフェムトノードを備えると呼ぶことがある。
【００５５】
システム７００は、図示の機能モジュール間の通信を可能にするために様々なプロトコルを採用する。たとえば、ＨＥＮＢ７０４は、ライン７１３で示されるＳ１プロトコルを介してＭＭＥ７１２（たとえば、コアネットワークＭＭＥ）と通信することができる。ＨＥＮＢ７０４は、ライン７１６で示されるＳ１プロトコルを介してＳＧＷ７１４（たとえば、ネットワークＳＧＷ）と通信することができる。ＭＭＥ７１２は、ライン７２０で示されるＳ３プロトコルを介して、サービングＧＰＲＳサポートノード（「ＳＧＳＮ」）７１８と通信することができる。ＭＭＥ７１２は、ライン７２４で示されるＳ６ａプロトコルを介して、ホーム加入者サーバ(home subscriber server)（「ＨＳＳ」）７２２と通信することもできる。ＳＧＷ７１４は、ライン７２６で示されるＳ１２プロトコルを介して他のＵＴＲＡＮ構成要素と通信し、ライン７２８で示されるＳ４プロトコルを介してＳＧＳＮ７１８と通信し、ライン７３０で示されるＳ１１プロトコルを介してＭＭＥ７１２と通信し、ライン７３４で示されるＳ５およびＳ８プロトコルを介してＰＳＮゲートウェイ（たとえば、ネットワークＰＧＷ）７３２と通信することができる。ＰＧＷ７３２は、インターネットおよびＩＰマルチメディアサブシステム(IP multimedia subsystem)（「ＩＭＳ」）などのパケットデータネットワークエンティティと、それぞれライン７３６および７３８で示されるＳＧｉプロトコルを介して通信することができる。また、ポリシーおよびチャージルール機能(policy and charge rules function)（「ＰＣＲＦ」）７４０は、ライン７４２で示されるＧｘプロトコルを介してＰＧＷ７３２と通信し、ライン７４４で示されるＲｘプロトコルを介してＩＭＳと通信することができる。
【００５６】
システム７００は、ＨＳＧＷ７０６、ＨＰＧＷ７０８、およびＨＭＭＥ７１０を使用することによって、改善されたローカルブレークアウトパフォーマンスを提供する。以下で説明するように、この改善されたパフォーマンスは、いくつかの態様では、改善されたモビリティ管理(mobility management)、ベアラ管理(bearer management)、およびページング管理(paging management)に関係することができる。
【００５７】
図７は、ローカルトラフィックおよびネットワークトラフィックが様々なＳＧＷおよびＰＧＷエンティティを介してルーティングされることを示す。ライン７４６で表されるように、ＵＥ７０２のローカルブレークアウトトラフィック(local breakout traffic)は、ＨＥＮＢ７０４、ＨＳＧＷ７０６、およびＨＰＧＷ７０８を介してローカルサービスプロバイダ（図７に図示せず）との間でルーティングされる。逆に、ライン７４８で表されるように、ネットワークトラフィック(network traffic)（たとえば、ホームルーティングされたトラフィック）は、ＨＥＮＢ７０４、ＳＧＷ７１４、およびＰＧＷ７３２を介してパケットデータネットワークとの間でルーティングされる。
【００５８】
ローカルトラフィックおよびネットワークトラフィックをサポートするために、ＵＥは、ＵＥと関連するＨＥＮＢとの間のエアインターフェースをスタック間で共有することができ、複数の（たとえば、２つの）部分プロトコルスタックを動作させることができる。たとえば、図８に、ＵＥが複数のＮＡＳインスタンス（この例ではＮＡＳ８０２およびＮＡＳ８０４）をサポートすることができることを示す制御プレーンプロトコルスタック(control plane protocol stack)８００を示す。さらに、図９に、複数のアプリケーション（ＡＰＰＬ９０２およびＡＰＰＬ９０４）のそれぞれが異なる（たとえば、ＩＰ９０６およびＩＰ９０８に対応する）ＩＰインターフェースに関連する場合、ＵＥがそれらのアプリケーションをサポートすることができることを示すデータプレーンプロトコルスタック(data plane protocol stack)９００を示す。
【００５９】
ＵＥにおけるデータプレーンがローカルトラフィックおよびネットワーク（たとえば、ホームルーティング）トラフィックをサポートするために、様々なプロビジョン(provisions)を作成することができる。後述するように、いくつかの実施形態では、ＵＡがコアネットワークによって容認されていなければ、ＵＥはＨＥＮＢローカルブレークアウトに接続することができない。したがって、ＵＥがコアネットワークによって認証されていない場合、またはバックホール(backhaul)が動作可能でない場合、ＵＥはローカルブレークアウトサービスを使用することができない。ローカルブレークアウト経路およびネットワーク経路のために、個別のデフォルトベアラがセットアップされる。ＵＥから見て、ローカルブレークアウトトラフィックは単に別のＰＤＮのように見える。ＵＥは、データプレーン上のベアラの様々なセットを認識している。様々なポイントオブプレゼンス（たとえば、ＡＰＮ）は、ローカルブレークアウトＰＤＮをネットワーク（たとえば、マクロ）ＰＤＮと区別する。したがって、ＵＥはローカルブレークアウトトラフィック対ネットワークトラフィックのための適切なベアラを使用する。たとえば、ＵＥは、ローカルブレークアウトトラフィック対ネットワークトラフィックのための個別のＤＨＣＰ要求を送信することができる。
【００６０】
ＵＥにおける制御プレーンがローカルトラフィックおよびネットワーク（たとえば、ホームルーティング）トラフィックをサポートするために、様々なプロビジョンを作成することもできる。たとえば、ＵＥは、ネットワーク（たとえば、マクロ）ＭＭＥと通信するときに適切な暗号を使用することができる。対照的に、ＵＥは、ＨＭＭＥと通信するときに暗号(cipher)を使用することができない（または、ヌル暗号(null cipher)を使用することができる）。
【００６１】
新しいサービス要求は、ＵＥとＭＭＥとの間で暗号化できる。ここで、ＨＥＮＢは、要求が（ローカルブレークアウトのために）ＨＥＮＢに宛てられているのか、ネットワークに宛てられているのかを区別することができない。したがって、図３および図４で上述したような方式をここで採用することができる。
【００６２】
一実施形態では、単一のＮＡＳ  ＳＭレイヤが採用される。ここで、ＵＥは、ＮＡＳメッセージがＨＭＭＥに宛てられているのか、ネットワークＭＭＥに宛てられているのかを示すために、ヘッダ中に特殊なビットを含めることができる。ＨＥＮＢは、このメッセージを受信すると、このビットに基づいてパケットを適切な宛先にルーティングする。そのような実施形態では、ＵＥは、ＨＭＭＥおよびネットワークＭＭＥに関連するメッセージに対して、異なるシーケンス番号を使用することができる。
【００６３】
別の実施形態では、ＨＭＭＥおよびネットワークＭＭＥと通信するための個別のＮＡＳシグナリングベアラ(NAS signaling bearer)を提供する。したがって、この実施形態はＮＡＳ  ＳＭレイヤの分離を含む。ここで、ＵＥは、適切なＮＡＳシグナリングベアラ上にローカルブレークアウト要求およびネットワーク要求を配置する。ＨＥＮＢが所与のＮＡＳシグナリングベアラ上のメッセージを受信すると、ＨＥＮＢはベアラに基づいてパケットを適切な宛先にルーティングする。
【００６４】
システム７００は、図１〜図６に関連して上述した機能と同様の他のローカルブレークアウト機能を提供することができる。たとえば、ＨＥＮＢはＵＥのローカルブレークアウトのためのＩＰアドレスを割り当てることができる。さらに、ＵＥはローカルブレークアウトトラフィックのページングを行うことができる。また、ＨＥＮＢはローカルブレークアウトトラフィックのＱｏＳをサポートすることができる。ローカルブレークアウトのこれらの態様の各々について順に論じる。
【００６５】
ＵＥのＩＰアドレスを割り当てるために、ＵＥ  ＩＰアドレス割振り、ＤＨＣＰｖ４およびＤＨＣＰｖ６機能、およびＲＦＣ４８６１定義された近隣発見などの機能を採用することができる。これらの機能を提供するために、図７に示すように、ＨＥＮＢにおいて低機能ＨＰＧＷ(reduced functionality HPGW)を設けることができる。ここで、ＨＰＧＷは、（たとえば、コアネットワーク中に展開される）従来のＰＧＷの機能のすべてをサポートすることはできないが、代わりに上記の機能および所望される可能性がある任意の他の機能をサポートすることができる。
【００６６】
ローカルブレークアウトトラフィックのためのＵＥのページングを可能にすることに関連して採用できる機能の例について、以下で説明する。ここで、ＳＧＷは、パケットをバッファする（たとえば、ＥＣＭ−ＩＤＬＥモードのダウンリンクパケットバッファリングを行う）ことができる。さらに、ＳＧＷは、ネットワークトリガサービス要求プロシージャ(network triggered service request procedure)の開始をサポートすることができる。ＳＧＷは、それによって、関連するＭＭＥにトラフィックのプレゼンスについて警報を出すことができる。
【００６７】
そのような警報に応答して、ＭＭＥは、いつ、どのｅＮｏｄｅＢにおいて、ＵＥをページングするかを判断することができる。したがって、ＭＭＥは、ＥＣＭ−ＩＤＬＥ状態におけるＵＥ到達可能性（たとえば、ページング再送信の制御および実行を含む）をサポートすることができる。ここで、ＭＭＥによるページングはＮＡＳシグナリングを必要としない。そうではなく、ＭＭＥは、単に関係する１つまたは複数のｅＮｏｄｅＢ（たとえば、ＨＥＮＢ）にいつＵＥをページングすべきかを伝達することができる。次いで、ＵＥの識別子（たとえば、ＧＵＴＩ、Ｔ−ＩＭＳＩ、ＩＭＳＩなど）に基づいて、各ｅＮｏｄｅＢによってページがブロードキャストされる。
【００６８】
いくつかの実施形態では、ローカルブレークアウトトラフィックのモビリティ（たとえば、サービス連続性）はサポートされない。そのような場合、ＵＥは、ローカルブレークアウトを提供する対応するＨＥＮＢにおいてローカルブレークアウトトラフィックのページングが行われることのみが可能である。しかしながら、固定された(anchored)（たとえば、ＶＰＬＭＮまたはＨＰＬＭＮのいずれかに固定された）トラフィックには、依然としてモビリティを適用することができる。そのような固定されたトラフィックは、たとえば、コアＰＧＷまたは何らかの他の固定されたＰＤＮに関連付けることができる。ここで、ネットワークＭＭＥにより、ＵＥは、ＵＥの現在のトラッキングエリアリスト中のＨＥＮＢおよびマクロセルにおいて固定されたトラフィックのページングが行われる。
【００６９】
上記のＳＧＷ機能を提供するために、図７に示すように、ＨＥＮＢにおいて低機能ＨＳＧＷ(reduced functionality HSGW)を設けることができる。ここで、ＨＳＧＷは、（たとえば、コアネットワーク中に展開される）従来のＳＧＷの機能のすべてをサポートすることはできないが、代わりに（たとえば、ページングをサポートするためのインターフェースをＭＭＥに提供する）上記の機能および所望される可能性がある任意の他の機能をサポートすることができる。
【００７０】
いくつかの実施形態では、図７に示すように、低機能ＨＭＭＥ(reduced functionality HMME)をＨＥＮＢに含めることによって、上記のＭＭＥ機能を提供することができる。すなわち、システムは分散ＭＭＥ機能を採用することができ、それにより、システム中の様々なエンティティにおいて様々なタイプのトラフィックのための機能を提供する（たとえば、ＨＭＭＥはローカルサービスのためのページングおよびベアラを管理し、ネットワークＭＭＥはネットワークサービスのためのページングおよびベアラを管理する）。ＨＭＭＥは、（たとえば、コアネットワーク中に展開される）従来のＭＭＥの機能のすべてをサポートすることはできないが、代わりに上記の機能および所望される可能性がある任意の他の機能をサポートすることができる。
【００７１】
他の実施形態では、代わりにＨＳＧＷからＭＭＥ（図７に図示せず）へのＳ１１プロトコルインターフェースを使用することによって、上記のＭＭＥ機能を提供することができる。すなわち、図７に示すように、ＨＭＭＥを使用する代わりに、ＨＳＧＷはＭＭＥ機能のすべてを提供するコアネットワークＭＭＥと通信することができる。いくつかの態様では、そのような実施形態は、Ｓ１１プロトコルを修正することを含むことができるか、またはＭＭＥのページング動作を変更するために複数のＳＧＷをサポートするようにＭＭＥを変更することを含むことができる。
【００７２】
（たとえば、ＨＭＭＥとコアネットワークＭＭＥとの間の）分散ＭＭＥ機能を使用することによって、ローカルトラフィックに関係するメッセージをＨＥＮＢからローカルＭＭＥではなくコアネットワークＭＭＥにルーティングすることができるので、特定の効率を達成することができる。したがって、得られたアーキテクチャは、コアＭＭＥと各ＨＥＮＢとの間の１つまたは複数のインターフェース（たとえば、ＭＭＥとＨＳＧＷとの間のＳ１１インターフェース）の使用を回避することができる。さらに、システム中に多数のＨＥＮＢがある場合は、メッセージングトラフィックおよびこれらのメッセージの処理に関連するコアネットワークにおける作業負荷を著しく低減することができる。
【００７３】
ＱｏＳをサポートするＨＥＮＢとともに採用できる、ローカルブレークアウトトラフィックのための機能のいくつかの例について、以下で説明する。場合によっては、ＱｏＳ機能をサポートするために、各ローカルブレークアウトベアラのためのアップリンク／ダウンリンクトラフィックフローテンプレート(traffic flow template)（「ＴＦＴ」）およびＱｏＳクラスインジケータ（「ＱＣＩ」）を提供する。
【００７４】
ＨＰＧＷとのＥＰＳベアラを確立するために、いくつかのプロシージャを採用することができる。１つのプロシージャでは、ＨＰＧＷにおいて（たとえば、ＵＥごとでなくＨＥＮＢごとに）ＥＰＳベアラを静的に構成することができる。別のプロシージャでは、ＡＡＡからＨＭＭＥへのＳＴＡインターフェースを定義することができる（アクセス固有）。このプロシージャは、ＨＭＭＥがＵＥをも認証する実施形態ではより良い選択とすることができる。さらに別のプロシージャでは、ＨＰＧＷへのＧｘインターフェースが定義される（動的に）。
【００７５】
ローカルブレークアウトトラフィックのＱｏＳをサポートすることに関連して、ＨＰＧＷ中に様々なタイプの機能を実装することができる。たとえば、ＨＰＧＷはユーザパケットベースのフィルタ処理をサポートすることができる。ＨＰＧＷは、アップリンクにおいてトランスポートレベルパケットマーキング(transport level packet marking)をサポートすることができる。さらに、アップリンク（ＵＬ）およびダウンリンク（ＤＬ）レートポリシング(policing)／シェーピング(shaping)およびゲーティング(gating)制御をサポートすることができる。また、ＴＳ２３．２０３で定義されたＵＬおよびＤＬベアラバインディング(bearer binding)をサポートすることもできる。
【００７６】
ローカルブレークアウトトラフィックのＱｏＳのサポートとともに、様々なタイプのＭＭＥ機能を提供することができる。たとえば、ＮＡＳシグナリングおよびベアラ管理機能（たとえば、専用ベアラの確立を含む）を提供することができる。
【００７７】
（たとえば、図７に示すように）ＨＭＭＥを採用する実施形態では、ＮＡＳシグナリングのためにＨＭＭＥを使用することができる。これは、ＵＥが複数のＭＭＥ  ＮＡＳシグナリングインスタンス(MME NAS signaling instances)をサポートすべきであることを暗示することができる。１つの方法は、ＨＥＮＢ  ＭＭＥのための第２の無線ベアラを定義することを含むことができる。次いで、どの（たとえば、ローカルトラフィックまたはネットワークトラフィックのための）ＰＤＮが使用されているかに基づいて、ＵＥは適切なベアラを選択する。複数のベアラの使用は、ペアごとに個別のＮＡＳセキュリティを含むことができ、またはＲＲＣセキュリティに依拠することができる。
【００７８】
ＨＭＭＥを採用しない実施形態では、ローカルブレークアウトトラフィックのＱｏＳをサポートするためにコアネットワークＭＭＥへのＳ１１インターフェースを使用することができる。いくつかの態様では、そのような実施形態は、Ｓ１１プロトコルを修正することを含むことができるか、どのようにベアラがＭＭＥによってセットアップされるかを変更するために、複数のＳＧＷをサポートするようにＭＭＥを変更することを含むことができる。
【００７９】
上述の機能に加えて、他の機能をローカルブレークアウトとともにサポートすることができる。たとえば、合法的傍受(lawful interception)および課金機能(accounting functions)などのＰＧＷ機能をサポートすることができる。課金機能の例は、ＴＳ２３．２０３で定義されたＵＬおよびＤＬサービスレベルのチャージングおよびＵＬおよびＤＬサービスレベルのゲーティング制御を含む。さらに、トラッキングエリアリスト管理などのＭＭＥ機能をサポートすることができる。ここで、ローカルブレークアウトのためのトラッキングエリアリストは、ローカルブレークアウトを提供するＨＥＮＢのみを指定することができる。
【００８０】
次に、図１０〜図１２を参照しながら、システム７００において採用することができるコールフロー(call flow)のいくつかの例について説明する。いくつかの実施形態では、ＵＥは、ＵＥがローカルサービスを受信することが可能であることをアクセスポイントに通知するために、アクセスポイントに指示を送信する。
【００８１】
図１０に、例示的な接続コールフローを記載する。最初に、ＵＥはＮＡＳを介して単一のコアネットワークＭＭＥ（たとえば、マクロＭＭＥ）と通信する。ＵＥはＨＥＮＢに（たとえば、フェムトノードに）接続要求を送信し、ＨＥＮＢはこの要求をネットワークＭＭＥにフォワーディングする。ＵＥからの接続要求において提供される情報は、たとえば、ＭＭＥを発見するためにＨＥＮＢによって使用されるＩＭＳＩまたはＧＵＴＩ、最後の訪問先トラッキングエリア識別子（該当する場合）、ＵＥネットワーク機能、ＰＤＮアドレス割振り（ＩＰバージョン、アドレスをいつ割り振るべきか）、プロトコル構成オプション、接続タイプ、ＫＳＩ、ＮＡＳシーケンス番号、およびＮＡＳ−ＭＡＣを含むことができる。場合によっては、この情報の一部を暗号化することができる。しかしながら、ＵＥがローカルブレークアウトサービスにアクセスすることが可能であるかどうかをＨＥＮＢが判断することができるように、ＵＥは何らかの情報をクリア(clear)で送信することが必要な場合がある。
【００８２】
図１０を再び参照すると、ＵＥは、認証およびセキュリティ動作を実行するためにネットワークＭＭＥと通信する。ここで、ＵＥをＨＳＳ（図１０に図示せず）に対して認証する。
【００８３】
さらに、ネットワークのデフォルトベアラ(default bearers)をセットアップする。ここで、ネットワークＭＭＥはデフォルトベアラ生成要求を送信する。ネットワークＳＧＷは、ベアラを生成するためにネットワークＰＧＷと協働し、デフォルトベアラ生成メッセージで応答する。
【００８４】
次いで、ネットワークＭＭＥはＨＥＮＢに接続受入れメッセージを送信する。接続受入れにおいて提供される情報は、たとえば、ＡＰＮ、ＧＵＴＩ、ＰＤＮアドレス情報、ＴＡＩリスト、ＥＰＳベアラ識別情報、セッション管理構成ＩＥ（たとえば、ＵＬ  ＴＦＴを含む）、または呼構成オプション、ＫＳＩ、ＮＡＳシーケンス番号、ＮＡＳ−ＭＡＣ、およびＮＡＳセキュリティアルゴリズムを含むことができる。この場合も、この情報の一部を暗号化することができる。
【００８５】
次いで、ＨＥＮＢは、ＨＭＭＥがローカルブレークアウトのためのデフォルトベアラをセットアップするのを支援する。たとえば、ＨＥＮＢがネットワークＭＭＥから接続受入れを受信すると、ＨＥＮＢはＨＭＭＥに接続要求を渡す。次いで、ＨＭＭＥ、ＨＳＧＷ、およびＨＰＧＷの協働によって、ローカルブレークアウトのためのデフォルトベアラを生成する。次いで、ローカルブレークアウトとネットワークトラフィックの両方のためにＲＲＣ接続再構成メッセージを送信し、接続プロシージャが完了する。上記から、ＵＥがローカルブレークアウトトラフィックおよびネットワークトラフィックのための個別のＥＰＳベアラを維持することが分かる。
【００８６】
後の時点で専用ローカルブレークアウトベアラが必要な場合は、適切なプロシージャを採用する。たとえば、ＵＥは、ローカルブレークアウトのために特殊なＮＡＳビットを使用してシグナリングする。このパケットをＨＭＭＥにルーティングする。ＨＭＭＥとＨＳＧＷとの間のローカルシグナリングは、新しいベアラをセットアップする。ＨＭＭＥは、ＵＥのためのローカルブレークアウトポリシー(local breakout policies)を学習するために、ＰＣＲＦと通信する。
【００８７】
図１１に、例示的なＵＥトリガサービス要求コールフローを記載する。ここで、ＨＥＮＢは、ＨＥＮＢが収集し、維持する情報に基づいて、ローカルブレークアウトコンタクト(local breakout contacts)をセットアップすることができる。たとえば、ＵＥのＧＵＴＩは、ＨＥＮＢにおいて既知とすることができる。サービスタイプ（たとえば、データかシグナリングか）に応じて、ＭＭＥはＥＰＳベアラを活動化するかまたはしない。いくつかの実施形態では、ネットワークＥＰＳベアラが活動化されている場合のみ、ＨＭＭＥはローカルブレークアウトＥＰＳベアラを活動化することができる。
【００８８】
ＵＥは、たとえば、ＧＵＴＩ、ＴＭＳＩ、サービスタイプ、および他の情報を含むＮＡＳサービス要求メッセージを送信する。ＨＥＮＢは、ネットワークＭＭＥにＮＡＳサービス要求を送信する。認証の後、最初のコンテキストがセットアップされる。ネットワークのため、およびローカルブレークアウトのための無線ベアラが確立される。ベアラがセットアップされると、ネットワークデータがＵＥからＨＥＮＢに送信され、次いでＨＥＮＢからネットワークＳＧＷに送信され、次いでネットワークＰＧＷに送信される。ローカルブレークアウトデータは、ＵＥからＨＥＮＢに送信され、次いでＨＥＮＢからＨＳＧＷに送信され、次いでＨＰＧＷに送信される。
【００８９】
図１２に、例示的なＨＥＮＢ（たとえば、フェムト）トリガサービス要求コールフローを記載する。認証のためにマクロ接続が必要な実施形態では、ＨＥＮＢによってトリガされたローカルブレークアウトのためのサービス要求がネットワークとのＥＰＳベアラをセットアップすることができる。しかしながら、サービス要求がローカルブレークアウト専用であることを示す場合は、このステップを回避することができる。そのような場合、ネットワークＭＭＥはいかなるネットワークＥＰＳベアラをも活動化することはない。
【００９０】
ローカルデータがＨＰＧＷに現れると、このデータはＨＳＧＷにフォワーディングされ、ＨＳＧＷはローカルデータが受信されたことをＨＭＭＥに通知する。これは、ＨＭＭＥにおいてページをトリガし、それによってＨＭＭＥはＨＥＮＢにＵＥをページングさせるためにＨＥＮＢにメッセージ（たとえば、ページ要求）を送信する。次いで、ＵＥトリガサービス要求プロシージャが実行され、その後、データはＨＳＧＷからＨＥＮＢを介してＵＥに送信される。
【００９１】
ＨＥＮＢは、事前にページングサイクル情報を学習することができる。たとえば、ＵＥのページングＤＲＸをページングメッセージ中に含めることができる。いくつかの実施形態では、ＤＲＸはＵＥコンテキスト中に情報要素（「ＩＥ」）として含まれる。ここで、ＨＥＮＢによってＵＥコンテキストがフェッチされる(fetched)と、ＨＥＮＢはＨＭＭＥにＤＲＸを中継する。そのような実施形態では、ローカルブレークアウトアプリケーションは、より緊密なページングサイクルを実施することができない。他の実施形態では、ＨＥＮＢ（たとえば、フェムトノード）およびマクロセルは、異なるＤＲＸ（たとえば、整数倍）を使用することができる。そのような場合、ＵＥは、ＵＥが現在アイドリングしているセルに応じて適切なサイクルで起動する。ここで、ＵＥは複数のＭＭＥ制御を認識する。ＵＥがより遅いサイクルで起動する場合、ＵＥは２つのサイクルが一致するときにページを受信する。
【００９２】
ローカルブレークアウトの使用は、トラッキングエリア更新に対して比較的軽微な影響を及ぼすことがある。たとえば、ＨＥＮＢは単一のトラッキングエリアを示すことができる。すなわち、ローカルブレークアウトトラフィックのための個別のトラッキングエリアを定義することはできない。ＵＥは、ネットワークＭＭＥを用いてトラッキングエリア更新を実行することができる。ここで、ＵＥはネットワークベアラを使用し、関連するＮＡＳメッセージはネットワークＭＭＥに直接ルーティングされる。ＨＭＭＥは、トラッキングエリア更新に気づいている必要はない。そうではなく、ＨＭＭＥは、ローカルブレークアウトトラフィックに対してのみページングすることができ、関連するＨＥＮＢにおいてのみページングすることができる。
【００９３】
ＵＥがアイドル状態に入るとき、ローカルブレークアウト接続性を処理するために、様々なプロビジョンを採用することができる。いくつかの実施形態では、ＩＰを直ちに切断することができる。したがって、すべてのベアラが破棄され、ＵＥが再び現れたときに接続を再確立する必要がある。他の実施形態では、（たとえば、定義された時間期間中）ＩＰアドレスを維持することができる。ここで、ＵＥが同じＧＵＴＩ（またはＳ−ＴＭＳＩ）で再び現れた場合、ＵＥは既存のベアラの使用を続けることができる。さらに、ＨＥＮＢを離れたときに、ＵＥを識別するために、トリガを採用することができる。たとえば、定義された欠落ページ数によって、ＭＭＥがベアラを破棄するのをトリガすることができる。
【００９４】
上述のように、いくつかの実施形態はＨＭＭＥを採用することができない。そのようなシステムのいくつかの態様について、図１３のシステム１３００を参照しながら説明する（たとえば、図示のモジュールは図７の対応する名前のモジュールと同様の機能を有する）。そのような場合、ＨＳＧＷは、図１３の破線１３０２で表されるように、Ｓ１１プロトコルを介してコアネットワークＭＭＥと通信することができる。ＨＳＧＷとネットワークＭＭＥとの間で送信されるＳ１１メッセージは、たとえば、ベアラ生成（デフォルトまたは専用）、ベアラ削除(delete bearer)、ベアラ更新(update bearer)、専用ベアラ非活動化(dedicated bearer deactivation)、ベアラリソース割振り(bearer resource allocation)、ベアラリソースリリース(bearer resource release)、フォワーディングトンネル生成(create forwarding tunnel)、および他のＧＴＰ−Ｃメッセージ（たとえば、エコー）を含むことができる。そのような場合、ネットワーク起動型サービス要求(network initiated service requests)をＨＳＧＷから発信すべきかネットワークＡＧＷから発信すべきかをネットワークＭＭＥが区別する。ローカルブレークアウトのためのＵＥ起動要求は、ＵＥからＨＥＮＢに進み、次いでネットワークＭＭＥに進み、最後にＨＳＧＷに進む。ＨＳＧＷは、ネットワークＭＭＥに（たとえば、ＨＥＮＢにおいてのみページングするための指示とともに）ページ要求を送信することができる。ページングは、ＨＰＧＷからＨＳＧＷに進み、次いでネットワークＭＭＥに進み、最後にＨＥＮＢに進む。
【００９５】
ＨＭＭＥを採用しない実施形態では、２つの異なる基準点（Ｓ１およびＳ１１）がホームノードによってサポートされる。これは、ＨＥＮＢおよび、たとえば、ＧＴＰ−ＣおよびｅＲＡＮＡＰのサポートにおいてより大きな複雑さを生じる。このアーキテクチャを単純化するために、従来Ｓ１１に関連するメッセージを、代わりにＳ１によって搬送することができる。言い換えれば、Ｓ１１において定義されるいくつかのメッセージをＳ１−ＭＭＥシグナリングにピギーバックすることができる。たとえば、他の場合はネットワークＭＭＥとＨＳＧＷとの間でＳ１１を介して搬送できる、ベアラを生成するためのメッセージは、代わりにＳ１を介してネットワークＭＭＥとＨＥＮＢとの間で搬送できる。したがって、この場合はＳ１１インターフェースをなくすことができる。
【００９６】
図１４および図１５は、ローカルブレークアウトのための接続プロシージャを、それぞれＳ１１インターフェースを使用する場合と使用しない場合の２つについて比較する。
【００９７】
図１４では、ＵＥはｅＮＢに接続要求（たとえば、ＡＰＮ  ＩＤを含む）を送信し、ｅＮＢはこの要求をＭＭＥにフォワーディングする。次いで、ネットワークのためのデフォルトのベアラがセットアップされる。ここで、ＭＭＥはＳＧＷにデフォルトのベアラ生成要求を送信し、ＳＧＷはこの要求をＰＧＷにフォワーディングする。ＰＧＷはデフォルトのベアラ生成メッセージで応答し、ＳＧＷはこのメッセージをＭＭＥにフォワーディングする。次いで、ＭＭＥはｅＮＢに接続受入れメッセージを送信する。次いで、ＲＲＣ接続再構成メッセージを送信し、接続プロシージャが完了する。
【００９８】
対照的に、図１５のライン１５０２で表されるように、ＭＭＥは、接続要求（たとえば、新しい接続をトリガするＡＰＮの値を含む）に応答し、初期コンテキストセットアップ要求メッセージおよびデフォルトベアラ生成要求メッセージをＨＥＮＢに返送する。次いで、ライン１５０４で表されるように、ＨＥＮＢは初期コンテキストセットアップ応答メッセージおよびデフォルトベアラ生成応答メッセージをＭＭＥに返送する。後続の専用ベアラを確立するために、同様の手法を使用することができる。ライン１５０２および１５０４によって表される「Ｓ１１」メッセージは、有利に、（たとえば、図１３におけるＨＥＮＢ１３０６とＭＭＥ１３０８との間のライン１３０４による）Ｓ１接続を介して搬送される。
【００９９】
次に、図１６〜図１８Ｂを参照しながら、ローカルブレークアウトを提供するためにＵＭＢネットワークなどの通信システムにおいて採用できる例示的な構成要素およびプロシージャについて説明する。ローカルブレークアウトは、アクセス端末が、そのアクセス端末からその第１のホップルータへの経路上のデバイスの１つの下に見えるローカルサービスにアクセスできるようにする。アクセスゲートウェイにおけるローカルブレークアウトと、フェムトノードにおけるローカルブレークアウトという、ローカルブレークアウトの２つの主要な形態を図１６に示す。所与のノードによって提供されるローカルサービスは様々な形態をとることができ、図１６に示され、以下で論じられる特定のサービスとは異なる場合があることを諒解されたい。
【０１００】
図１６のシステム１６００では、アクセス端末１６０２がエアインターフェースを介してフェムトノード１６０４（たとえば、拡張基地局、ｅＢＳ）と通信する。システム１６００は、１つまたは複数のローカルサービスにローカルブレークアウトを提供するルータ１６０６およびアクセスゲートウェイ１６０８を含む。
【０１０１】
アクセス端末１６０２がフェムトノード１６０４に接続すると、フェムトノードにおけるローカルブレークアウトを提供することができる。破線１６１０で表されるように、ルータ１６０６は、アクセス端末１６０２が、１つまたは複数のローカルネットワークノード１６１２によって提供されるローカルサービスにアクセスできるようにすることができる。たとえば、そのようなローカルサービスは、ローカルネットワーク上のデバイス（たとえば、プリンタ）へのアクセスを可能にすることができる。破線１６１４で表されるように、ルータ１６０６は、アクセス端末１６０２がインターネット１６１６にアクセスすること（たとえば、１つまたは複数のウェブサーバ１６１８にアクセスすること）を可能にすることもできる。このようにして、アクセス端末１６０２は、オペレータのコアネットワークを通過することなしにインターネットにアクセスすることができる。
【０１０２】
破線１６２０で表されるように、アクセスゲートウェイ１６０８は、アクセス端末１６０２が１つまたは複数のローカルサービス１６２２にアクセスできるようにすることができる。アクセスゲートウェイにおけるローカルブレークアウトは、アクセス端末１６０２の第１のホップルータがローカルモビリティエージェント１６２４であるときに適用可能とすることができる。ここで、グローバルにルーティングされたパケットがローカルモビリティエージェント１６２４を介して進むときでも、ローカルアクセスゲートウェイから特殊なローカルサービス（たとえば、位置特定(position location)）を提供することが望ましい場合がある。
【０１０３】
破線１６２６で表されるように、コアネットワークトラフィックを、アクセス端末１６０２からプロトコルトンネルを介してローカルモビリティエージェント１６２４（たとえば、第１のホップルータ）にルーティングすることができる。ここからコアネットワークを介して対応するノード１６２８にトラフィックをルーティングすることができる。ダウンリンク上では相補的なトラフィックフローが生じる。
【０１０４】
ローカルブレークアウトをサポートするために、所与のアクセス端末とｅＢＳとの間に複数のリンクＩＤを提供することができる。ここで、各リンクＩＤは、そのレベルでＩＰアドレスを管理するエンティティに対応するレベルに属することができる。たとえば、レベル２リンクＩＤはローカルモビリティエージェントに対応することができる。レベル１リンクＩＤはアクセスゲートウェイに対応することができる。レベル０リンクＩＤはローカルルータに対応することができる。
【０１０５】
アプリケーションインターフェース仕様（「ＡＩＳ」）は、ｅＢＳによるアクセス端末への複数のリンクＩＤのロケーションをサポートする。各リンクＩＤは異なるＩＰインターフェースに対応し、アクセス端末は、インターフェースを制御するエンティティによって管理される異なるＩＰアドレスを割り振られる。
【０１０６】
アクセス端末とｅＢＳとの間を無線で進むパケットは、それらが属するリンクレベルに識別される。上述のように、これを達成する２つの方法は、パケットのストリームを識別することまたはパケットとともに識別子を送信することを含むことができる。
【０１０７】
第１のケースでは、各パケットはストリームに属し、ストリームとリンクとの間に多対１マッピングが存在することができる。したがって、リンクは複数のストリームをホストすることができるが、ストリームは単一のリンクレベルにしか属することができない。したがって、ストリームＩＤからリンクレベルを暗黙的に判断することができる。
【０１０８】
第２のケースでは、パケットは、ＩＰヘッダとＲＬＰヘッダとの間に配置された特殊な１バイトのヘッダを搬送することができる。このヘッダはもっぱらリンクレベルを含むことができる。
【０１０９】
上述のように複数のリンクのためのＡＩＳサポートがあるとすれば、ローカルブレークアウトを提供するために使用できるいくつかのアーキテクチャ選択肢がある。１つのアーキテクチャ選択肢は、複数のＧＲＥキーの使用を含む。別のアーキテクチャ選択肢は、１つのＧＲＥトンネルおよび複数のブロードキャストアドレスの使用を含む。
【０１１０】
図１７Ａおよび図１７Ｂに、２つのＧＲＥキーを採用する実施形態を示す。ここで、アクセスゲートウェイ（「ＡＧＷ」）１６０８は、ＧＲＥキー（たとえば、ＧＲＥ０）をｅＢＳ１６０４に提供することができ、ローカルモビリティエージェント（「ＬＭＡ」）１６２４を用いて任意のＰＭＩＰトンネルに同じキーをバインドする。キーＧＲＥ０は以下を暗示することができる。ＧＲＥ０が偶数の場合、ＧＲＥ０はレベル１アドレスにマッピングされ、ＧＲＥ０＋１は同じユーザのレベル２アドレスにマッピングされるが、ＧＲＥ０が奇数の場合、ＧＲＥ０はレベル２アドレスにマッピングされ、ＧＲＥ０−１は同じユーザのレベル１アドレスにマッピングされる。ｅＢＳ１６０４およびアクセスゲートウェイ１６０８は、これらのＧＲＥキーのいずれかに基づいてパケットを受け入れるように構成される。ｅＢＳ１６０４において２つのキーを提供するために、様々なプロビジョンを作成することができる。たとえば、両方のキーをｅＢＳ１６０４に送信することも、ｅＢＳ１６０４に送信された１つのキーに基づいて別のキーを生成することもできる。
【０１１１】
図１７Ａは、例示的なアップリンクトラフィックフローを示す。ここで、ライン１７０２は、ｅＢＳ１６０４とアクセスゲートウェイ１６０８との間で第１のＧＲＥキー（ＧＲＥ０）を使用してトンネリングされるトラフィックフローを表す。たとえば、このトラフィックフローは、アクセス端末（「ＡＴ」）１６０２とローカルモビリティエージェント１６２４との間のレベル２パケットに関係することができる。したがって、アップリンクパケットは、インターネット上の他の場所の対応するノードに宛てることができる。ここで、ライン１７０４は、ｅＢＳ１６０４とアクセスゲートウェイ１６０８との間で第２のＧＲＥキー（ＧＲＥ１）を使用してトンネリングされるトラフィックフローを表す。したがって、このトラフィックフローは、アクセス端末１６０２とアクセスゲートウェイ１６０８との間の（たとえば、アクセスゲートウェイ１６０８によってサポートされるローカルブレークアウトトラフィックを搬送する）レベル１パケットに関係することができる。ライン１７０６は、トンネリングされないトラフィックフローを表す。たとえば、このトラフィックフローは、アクセス端末１６０２と、ｅＢＳ１６０４と同じサブネットワーク上のローカルデバイスとの間のローカルブレークアウトパケットに関係することができる。図１７Ｂは、ダウンリンクのための相補的なトラフィックフローを示す。
【０１１２】
ｅＢＳ１６０４において、（逆方向リンク上では）それらが属するリンクレベルによって、（順方向リンク上では）それらのトンネルのＧＲＥキーによって、レベル１パケットとレベル２パケットとを識別することができる。順方向リンク上のレベル０パケットは異なる方法で処理される。たとえば、ｅＢＳ１６０４は、パケットが宛てられたアクセス端末を判断するために宛先アドレスを調べることができる。
【０１１３】
図１８Ａおよび図１８Ｂに、１つのＧＲＥキーを採用する実施形態を示す。この解決策では、レベル０パケット（ライン１８０６）が上記のように処理されるにもかかわらず、アクセスゲートウェイ１６０８とｅＢＳ１６０４との間に単一のＧＲＥトンネル１８０８が存在する。したがって、図１８Ａで表される逆方向リンク上では、ＧＲＥトンネル１８０８Ａに到着するパケットがアクセスゲートウェイ１６０８において多重分離される(demultiplexed)。逆に、図１８Ｂで表される順方向リンク上では、ＧＲＥトンネル１８０８Ｂに到着するパケットをｅＢＳ１６０４において多重分離する。
【０１１４】
逆方向リンク上では、アクセスゲートウェイ１６０８は、パケットのソースアドレスを考慮し、サブネットに基づいてリンクレベルを判断することによって、レベル１（ライン１８０４）およびレベル２（ライン１８０２）に属するパケットを多重分離することができる。同様に、順方向リンク上では、ｅＢＳ１６０４は、パケットが属するリンクレベルをサブネットに基づいて判断するために、パケットのＩＰ宛先アドレスを調べることができる。
【０１１５】
しかしながら、ブロードキャストレベル１およびレベル２に属するパケットはそれらが同じＩＰアドレスに送信されるので問題を生じることがある。これを解決するために、レベル１ブレークアウトプロトコルのブロードキャストパケット（たとえば、ＲＲＰ、ＲＲＱ、ルータ要求および広告）を異なるアドレスに送信する。プロトコル中で利用可能なクライアント識別子オプションを使用して、ＤＨＣＰパケットを多重分離する。代替的に、パケットの内部を調べ、プロトコル固有の情報を使用することによって、ブロードキャストパケットを多重分離する。
【０１１６】
上述のように、本明細書で教示するローカルブレークアウト方式は、マクロカバレージ（たとえば、一般にマクロセルネットワークまたはワイドエリアネットワーク（ＷＡＮ）と呼ばれる３Ｇネットワークなどの広域セルラーネットワーク）と、より小さいカバレージ（たとえば、一般にローカルエリアネットワーク（ＬＡＮ）と呼ばれる居住地ベースまたは建築物ベースのネットワーク環境）を含む混合展開中で使用できる。ここで、アクセス端末（「ＡＴ」）がそのようなネットワーク中を移動するにつれて、アクセス端末を、ある位置では、マクロカバレージを与えるアクセスポイントがサービスし、他の位置では、より小さいカバレージエリアを与えるアクセスポイントがサービスすることがある。いくつかの態様では、より小さいエリアカバレージのノードを使用して、漸増キャパシティの増加と、屋内カバレージと、様々なサービスとを提供することができ、これらはすべて、よりロバストなユーザ経験をもたらす。
【０１１７】
相対的に広いエリアにわたるカバレージを与えるノードをマクロノードと呼び、比較的小さいエリア（たとえば、住居）にわたるカバレージを与えるノードをフェムトノードと呼ぶことがある。本明細書の教示は、他のタイプのカバレージエリアに関連するノードに適用できる場合があることを諒解されたい。たとえば、ピコノードは、マクロエリアよりも小さく、フェムトエリアよりも大きいエリアにわたるカバレージ（たとえば、商業建築物内のカバレージ）を与えることができる。様々な適用例では、マクロノード、フェムトノードまたは他のアクセスポイントタイプのノードを指すために他の用語を使用することがある。たとえば、マクロノードを、アクセスノード、基地局、アクセスポイント、ｅＮｏｄｅＢ、マクロセルなどとして構成し、またはそのように呼ぶ。また、フェムトノードを、Ｈｏｍｅ  ＮｏｄｅＢ、Ｈｏｍｅ  ｅＮｏｄｅＢ、アクセスポイント基地局、フェムトセルなどとして構成する、または呼ぶことがある。いくつかの実施形態では、ノードを１つまたは複数のセルまたはセクタに関連付ける（たとえば、分割する）ことができる。マクロノード、フェムトノード、またはピコノードに関連付けられたセルまたはセクタは、それぞれ、マクロセル、フェムトセル、またはピコセルと呼ぶことがある。ネットワーク中にフェムトノードをどのように展開することができるかについての簡略化された例を図１９に示す。
【０１１８】
図１９に、いくつかのトラッキングエリア１９０２（またはルーティングエリアまたは位置エリア）が画定されたカバレージマップ１９００の例を示し、そのエリアの各々はいくつかのマクロカバレージエリア１９０４を含む。ここで、トラッキングエリア１９０２Ａ、１９０２Ｂ、および１９０２Ｃに関連付けられたカバレージのエリアは太線によって示され、マクロカバレージエリア１９０４は六角形によって表される。トラッキングエリア１９０２はフェムトカバレージエリア１９０６をも含む。この例では、フェムトカバレージエリア１９０６の各々（たとえば、フェムトカバレージエリア１９０６Ｃ）は、マクロカバレージエリア１９０４（たとえば、マクロカバレージエリア１９０４Ｂ）内に示される。ただし、フェムトカバレージエリア１９０６は、部分的にマクロカバレージエリア１９０４の内部または外部に存在することができることを諒解されたい。また、１つまたは複数のピコカバレージエリア（図示せず）を１つまたは複数のトラッキングエリア１９０２またはマクロカバレージエリア１９０４内に画定することができる。マクロカバレージエリア内には、その内部に、または隣接するマクロセルとの境界にまたがって、複数のフェムトカバレージエリアが存在することができることを諒解されたい。
【０１１９】
図２０に、たとえば、マクロセル２００２Ａ〜２００２Ｇなどの複数のセル２００２を備え、各セルが、対応するアクセスポイント２００４（たとえば、アクセスポイント２００４Ａ〜２００４Ｇ）によってサービスされる、無線通信システム２０００のいくつかの態様を示す。したがって、マクロセル２００２は、図１９のマクロカバレージエリア１９０４に対応することができる。図２０に示すように、アクセス端末２００６（たとえば、アクセス端末２００６Ａ〜２００６Ｌ）は、時間とともにシステム全体にわたって様々な位置に分散できる。各アクセス端末２００６は、たとえば、アクセス端末２００６がアクティブかどうか、およびアクセス端末２００６がソフトハンドオフ中かどうかに応じて、所与の瞬間に順方向リンク（「ＦＬ」）および／または逆方向リンク（「ＲＬ」）上で１つまたは複数のアクセスポイント２００４と通信することができる。無線通信システム２０００は広い地理的領域にわたってサービスを提供する。たとえば、マクロセル２００２Ａ〜２００２Ｇは、近隣内の数ブロックまたは地方環境の数平方マイルをカバーすることができる。
【０１２０】
図２１に、１つまたは複数のフェムトノードがネットワーク環境（たとえば、システム２０００）内でどのように展開されるかを示すシステム２１００の例を示す。システム２１００は、比較的小さいエリアカバレージネットワーク環境中に（たとえば、１つまたは複数のユーザ住居２１３０中に）設置される複数のフェムトノード２１１０（たとえば、フェムトノード２１１０Ａおよび２１１０Ｂ）を含む。各フェムトノード２１１０は、ＤＳＬルータ、ケーブルモデム、無線リンク、または他の接続手段（図示せず）を介して、ワイドエリアネットワーク２１４０（たとえば、インターネット）およびモバイルオペレータコアネットワーク２１５０に結合される。
【０１２１】
フェムトノード２１１０の所有者は、たとえば、３Ｇモバイルサービスなど、モバイルオペレータコアネットワーク２１５０を介して提供されるモバイルサービスに加入することができる。さらに、アクセス端末２１２０は、マクロ環境と、より小さいエリアカバレージ（たとえば、住居）ネットワーク環境の両方で動作することが可能である。言い換えれば、アクセス端末２１２０の現在位置に応じて、アクセス端末２１２０は、モバイルオペレータコアネットワーク２１５０に関連付けられたマクロセルアクセスポイント２１６０によって、または、フェムトノード２１１０のセットのいずれか１つ（たとえば、対応するユーザ住居２１３０内に常駐するフェムトノード２１１０Ａおよび２１１０Ｂ）によってサービスされることがある。たとえば、加入者が、自宅の外にいるとき、標準のマクロアクセスポイント（たとえば、アクセスポイント２１６０）によってサービスされ、加入者が自宅の近く、または、自宅の中にいるとき、フェムトノード（たとえば、ノード２１１０Ａ）によってサービスされる。ここで、フェムトノード２１１０は、レガシーアクセス端末(legacy access terminals)２１２０と後方互換性がある。
【０１２２】
ノード（たとえば、フェムトノード）は、いくつかの態様では、制限されることがある。たとえば、所与のフェムトノードは、いくつかのサービスをいくつかのアクセス端末のみに提供することができる。いわゆる制限（または限定）関連付けを用いた展開では、所与のアクセス端末が、マクロセルモバイルネットワークと、フェムトノードの定義されたセット（たとえば、対応するユーザ住居２１３０内に常駐するフェムトノード２１１０）とによってのみサービスされる。いくつかの実施形態では、ノードは、少なくとも１つのノードにシグナリング、データアクセス、登録、ページング、またはサービスのうちの少なくとも１つを提供しないように制限される。
【０１２３】
いくつかの態様では、（限定加入者グループＨｏｍｅ  ＮｏｄｅＢと呼ばれることもある）制限されたフェムトノードは、サービスを、制限された準備されたアクセス端末のセットに提供するノードである。このセットは、必要に応じて、一時的にまたは永続的に拡大できる。いくつかの態様では、限定加入者グループ（「ＣＳＧ」）は、アクセス端末の共通のアクセス制御リストを共有するアクセスポイント（たとえば、フェムトノード）のセットとして定義できる。領域中のすべてのフェムトノード（または制限されたすべてのフェムトノード）が動作するチャネルをフェムトチャネルと呼ぶことがある。
【０１２４】
したがって、所与のフェムトノードと所与のアクセス端末との間には様々な関係が存在する。たとえば、アクセス端末の観点から、開いたフェムトノードは、制限された関連付けをもたないフェムトノードを指す（たとえば、フェムトノードが任意のアクセス端末へのアクセスを許す）。制限されたフェムトノードは、何らかの形で制限された（たとえば、関連付けおよび／または登録のために制限された）フェムトノードを指す。ホームフェムトノードは、アクセス端末がアクセスし、その上で動作することを許可される（たとえば、永続的なアクセスが、１つまたは複数のアクセス端末の定義されたセットに与えられる）フェムトノードを指す。ゲストフェムトノードは、アクセス端末がアクセスし、またはその上で動作することを一時的に許可されるフェムトノードを指す。外来フェムトノードは、おそらく非常事態（たとえば、９１１番）を除いて、アクセス端末がアクセスし、またはその上で動作することを許可されないフェムトノードを指す。
【０１２５】
制限されたフェムトノードの観点から、ホームアクセス端末は、制限されたフェムトノードへのアクセスを許可されるアクセス端末を指す（たとえば、アクセス端末は、フェムトノードへの永続的なアクセスを有する）。ゲストアクセス端末は、（たとえば、最終期限、使用の時間、バイト、接続カウントまたは何らかの他の１つまたは複数の基準に基づいて限定される）制限されたフェムトノードへの一時的アクセスをもつアクセス端末を指す。外来アクセス端末は、たとえば、おそらく９１１番などの非常事態を除いて、制限されたフェムトノードにアクセスする許可を有していないアクセス端末（たとえば、制限されたフェムトノードに登録する証明または許可を有していないアクセス端末）を指す。
【０１２６】
便宜のために、本明細書の開示では、フェムトノードの文脈で様々な機能について説明する。ただし、ピコノードは、より大きいカバレージエリアに同じまたは同様の機能を提供することができることを諒解されたい。たとえば、所与のアクセス端末に対して、ピコノードを制限すること、ホームピコノードを定義することなどが可能である。
【０１２７】
無線多元接続通信システムは、複数の無線アクセス端末のための通信を同時にサポートすることができる。各端末は、順方向リンクおよび逆方向リンク上の送信を介して１つまたは複数のアクセスポイントと通信することができる。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（「ＭＩＭＯ」）システム、または何らかの他のタイプのシステムを介して確立できる。
【０１２８】
ＭＩＭＯシステムは、データ送信のために複数（ＮＴ）個の送信アンテナと複数（ＮＲ）個の受信アンテナとを採用する。ＮＴ個の送信アンテナとＮＲ個の受信アンテナとによって形成されるＭＩＭＯチャネルは、空間チャネルと呼ばれることもあるＮＳ個の独立チャネルに分解でき、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０１２９】
ＭＩＭＯシステムは時分割複信（「ＴＤＤ」）および周波数分割複信（「ＦＤＤ」）をサポートすることができる。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビーム形成利得を抽出することが可能になる。
【０１３０】
本明細書の教示は、少なくとも１つの他のノードと通信するための様々な構成要素を使用するノード（たとえば、デバイス）に組み込むことができる。図２２に、ノード間の通信を可能にするために採用できるいくつかの例示的な構成要素を示す。特に、図２２に、ＭＩＭＯシステム２２００の無線デバイス２２１０（たとえば、アクセスポイント）および無線デバイス２２５０（たとえば、アクセス端末）を示す。デバイス２２１０では、いくつかのデータストリームのトラフィックデータが、データソース２２１２から送信（「ＴＸ」）データプロセッサ２２１４に供給される。
【０１３１】
いくつかの態様では、各データストリームは、それぞれの送信アンテナを介して送信される。ＴＸデータプロセッサ２２１４は、符号化データを供給するために、そのデータストリーム用に選択された特定の符号化方式に基づいて、データストリームごとにトラフィックデータをフォーマット化し、符号化し(coding)、インタリーブする。
【０１３２】
各データストリームの符号化データは、ＯＦＤＭ技法を使用してパイロットデータで多重化できる。パイロットデータは、典型的には、知られている方法で処理され、チャネル応答を推定するために受信機システムにおいて使用できる知られたデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータ転送速度、符号化、および変調は、プロセッサ２２３０によって実行される命令によって決定される。データメモリ２２３２は、プロセッサ２２３０またはデバイス２２１０の他の構成要素によって使用されるプログラムコード、データおよび他の情報を記憶する。
【０１３３】
次いで、すべてのデータストリームの変調シンボルがＴＸ  ＭＩＭＯプロセッサ２２２０に供給され、ＴＸ  ＭＩＭＯプロセッサ２２２０はさらに（たとえば、ＯＦＤＭの場合）その変調シンボルを処理する。次いで、ＴＸ  ＭＩＭＯプロセッサ２２２０は、ＮＴ個の変調シンボルストリームをＮＴ個のトランシーバ（「ＸＣＶＲ」）２２２２Ａ〜２２２２Ｔに供給する。いくつかの態様では、ＴＸ  ＭＩＭＯプロセッサ２２２０は、データストリームのシンボルと、シンボルが送信されているアンテナとにビーム形成重み付けを適用する。
【０１３４】
各トランシーバ２２２２は、それぞれのシンボルストリームを受信し、処理して、１つまたは複数のアナログ信号を供給し、さらに、それらのアナログ信号を調整（たとえば、増幅、フィルタリング、およびアップコンバート）して、ＭＩＭＯチャネルを介して送信するのに適した変調信号を供給する。次いで、トランシーバ２２２２Ａ〜２２２２ＴからのＮＴ個の変調信号は、それぞれ、ＮＴ個のアンテナ２２２４Ａ〜２２２４Ｔから送信される。
【０１３５】
デバイス２２５０では、送信された変調信号はＮＲ個のアンテナ２２５２Ａ〜２２５２Ｒによって受信され、各アンテナ２２５２からの受信信号は、それぞれのトランシーバ（「ＸＣＶＲ」）２２５４Ａ〜２２５４Ｒに供給される。各トランシーバ２２５４は、それぞれの受信信号を調整（たとえば、フィルタリング、増幅、およびダウンコンバート）し、調整された信号をデジタル化して、サンプルを供給し、さらにそれらのサンプルを処理して、対応する「受信」シンボルストリームを供給する。
【０１３６】
次いで、受信（「ＲＸ」）データプロセッサ２２６０は、特定の受信機処理技法に基づいてＮＲ個のトランシーバ２２５４からＮＲ個の受信シンボルストリームを受信し、処理して、ＮＴ個の「検出」シンボルストリームを供給する。次いで、ＲＸデータプロセッサ２２６０は、各検出シンボルストリームを復調し、デインタリーブし、復号して、データストリームに対するトラフィックデータを回復する。ＲＸデータプロセッサ２２６０による処理は、デバイス２２１０におけるＴＸ  ＭＩＭＯプロセッサ２２２０およびＴＸデータプロセッサ２２１４によって実行される処理を補足するものである。
【０１３７】
プロセッサ２２７０は、どのプリコーディング行列（以下で論じる）を使用すべきかを定期的に判断する。プロセッサ２２７０は、行列インデックス部とランク値部とを備える逆方向リンクメッセージを作成する。データメモリ２２７２は、プロセッサ２２７０またはデバイス２２５０の他の構成要素によって使用されるプログラムコード、データおよび他の情報を記憶する。
【０１３８】
逆方向リンクメッセージは、通信リンクおよび／または受信データストリームに関する様々なタイプの情報を備えることができる。次いで、逆方向リンクメッセージは、データソース２２３６からいくつかのデータストリームのトラフィックデータをも受信するＴＸデータプロセッサ２２３８によって処理され、変調器２２８０によって変調され、トランシーバ２２５４Ａ〜２２５４Ｒによって調整され、デバイス２２１０に戻される。
【０１３９】
デバイス２２１０において、デバイス２２５０からの変調信号は、アンテナ２２２４によって受信され、トランシーバ２２２２によって調整され、復調器（「ＤＥＭＯＤ」）２２４０によって復調され、ＲＸデータプロセッサ２２４２によって処理されて、デバイス２２５０によって送信された逆方向リンクメッセージが抽出される。次いで、プロセッサ２２３０は、ビーム形成重み付けを決定するためにどのプリコーディング行列を使用すべきかを判断し、次いで、抽出されたメッセージを処理する。
【０１４０】
図２２はまた、通信構成要素が、本明細書で教示するローカルブレークアウト関連動作を実行する１つまたは複数の構成要素を含むことができることを示す。たとえば、ブレークアウト制御構成要素２２９０は、デバイス２２１０のプロセッサ２２３０および／または他の構成要素と協働して、本明細書で教示する別のデバイス（たとえば、デバイス２２５０）との間で信号を送信／受信することができる。同様に、ブレークアウト制御構成要素２２９２は、デバイス２２５０のプロセッサ２２７０および／または他の構成要素と協働して、別のデバイス（たとえば、デバイス２２１０）との間で信号を送信／受信することができる。各デバイス２２１０および２２５０について、記載の構成要素の２つ以上の機能が単一の構成要素によって提供できることを諒解されたい。たとえば、単一の処理構成要素がブレークアウト制御構成要素２２９０およびプロセッサ２２３０の機能を提供し、また、単一の処理構成要素がブレークアウト制御構成要素２２９２およびプロセッサ２２７０の機能を提供することができる。
【０１４１】
本明細書の教示は、様々なタイプの通信システムおよび／またはシステム構成要素に組み込むことができる。いくつかの態様では、本明細書の教示は、利用可能なシステムリソースを共有することによって（たとえば、帯域幅、送信電力、符号化、インタリーブなどのうちの１つまたは複数を指定することによって）、複数のユーザとの通信をサポートすることが可能な多元接続システムで使用できる。たとえば、本明細書の教示は、符号分割多元接続（「ＣＤＭＡ」）システム、多重キャリアＣＤＭＡ（「ＭＣＣＤＭＡ」）、ワイドバンドＣＤＭＡ（「Ｗ−ＣＤＭＡ」）、高速パケットアクセス（「ＨＳＰＡ」、「ＨＳＰＡ＋」）システム、時分割多元接続（「ＴＤＭＡ」）システム、周波数分割多元接続（「ＦＤＭＡ」）システム、単一搬送波ＦＤＭＡ（「ＳＣ−ＦＤＭＡ」）システム、直交周波数分割多元接続（「ＯＦＤＭＡ」）システム、または他の多元接続技法の技術のいずれか１つまたは組合せに適用される。本明細書の教示を使用する無線通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計される。ＣＤＭＡネットワークは、地上無線アクセス（「ＵＴＲＡ」）、ｃｄｍａ２０００、または何らかの他の技術などの無線技術を実装することができる。ＵＴＲＡは、Ｗ−ＣＤＭＡおよび低チップレート（「ＬＣＲ」）を含む。ｃｄｍａ２０００技術は、ＩＳ−２０００、ＩＳ−９５、およびＩＳ−８５６規格をカバーする。ＴＤＭＡネットワークは、グローバルシステムフォーモバイルコミュニケーション(Global System for Mobile Communications)(「ＧＳＭ」）などの無線技術を実装することができる。ＯＦＤＭＡネットワークは、進化型ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、E−UTRA、およびGSMは、ユニバーサルモバイルテレコミュニケーションシステム（Universal Mobile Telecommunication System）([UMTS])の一部である。本明細書の教示は、３ＧＰＰロングタームエボリューション(3GG Long Term Evolution)（「ＬＴＥ」）システム、ウルトラモバイルブロードバンド(Ultra-Mobile Broadband)（「ＵＭＢ」）システム、および他のタイプのシステムで実装できる。ＬＴＥは、Ｅ−ＵＴＲＡを使用するＵＭＴＳのリリースである。本開示のいくつかの態様については、３ＧＰＰ用語を使用して説明するが、本明細書の教示は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術および他の技術に適用できることを理解されたい。
【０１４２】
本明細書の教示は、様々な装置（たとえば、ノード）に組み込む（たとえば、装置内に実装する、または装置によって実行する）ことができる。いくつかの態様では、本明細書の教示に従って実装されるノード（たとえば、無線ノード）はアクセスポイントまたはアクセス端末を備えることができる。
【０１４３】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られる。いくつかの実施形態では、アクセス端末は、セルラー電話、コードレス電話、セッション開始プロトコル（「ＳＩＰ」）電話、無線ローカルループ（「ＷＬＬ」）局、個人用携帯型情報端末（「ＰＤＡ」）、無線接続能力を有するハンドヘルドデバイス、または無線モデムに接続された何らかの他の好適な処理デバイスを備えることができる。したがって、本明細書で教示する１つまたは複数の態様は、電話（たとえば、セルラー電話またはスマートフォン）、コンピュータ（たとえば、ラップトップ）、携帯型通信デバイス、携帯型コンピューティングデバイス（たとえば、個人用携帯型情報端末）、娯楽デバイス（たとえば、音楽デバイスまたはビデオデバイス、あるいは衛星ラジオ）、全地球測位システムデバイス、あるいは無線媒体を介して通信するように構成された他の好適デバイスに組み込むことができる。
【０１４４】
アクセスポイントは、ノードＢ、ｅＮｏｄｅＢ、無線ネットワーク制御装置（「ＲＮＣ」）、基地局（「ＢＳ」）、ｅＢＳ、無線基地局（「ＲＢＳ」）、基地局制御装置（「ＢＳＣ」）、送受信基地局（「ＢＴＳ」）、トランシーバ機能（「ＴＦ」）、無線トランシーバ、無線ルータ、基本サービスセット（「ＢＳＳ」）、拡張サービスセット（「ＥＳＳ」）、または何らかの他の同様の用語を備えるか、それらのいずれかとして実装されるか、あるいはそれらのいずれかいずれかとして知られる。
【０１４５】
いくつかの態様では、ノード（たとえば、アクセスポイント）は、通信システムのためのアクセスノードを備えることができる。そのようなアクセスノードは、たとえば、ネットワークへの有線または無線通信リンクを介した、ネットワーク（たとえば、インターネットまたはセルラーネットワークなどワイドエリアネットワーク）のための、またはネットワークへの接続性を与えることができる。したがって、アクセスノードは、別のノード（たとえば、アクセス端末）がネットワークまたは何らかの他の機能にアクセスできるようにすることができる。さらに、一方または両方のノードはポータブルでも、場合によっては割りと非ポータブルでもよいことを諒解されたい。
【０１４６】
また、無線ノードは、有線の方式で（たとえば、有線接続を介して）情報を送信および／または受信することができることを諒解されたい。したがって、本明細書で論じる受信機および送信機は、非無線媒体を介して通信するために適切な通信インターフェース構成要素（たとえば、電子的または光学的インターフェース構成要素）を含むことができる。
【０１４７】
無線ノードは、好適な無線通信技術に基づくあるいはサポートする１つまたは複数の無線通信リンクを介して通信することができる。たとえば、いくつかの態様では、無線ノードはネットワークに関連付けることができる。いくつかの態様では、ネットワークはローカルエリアネットワークまたはワイドエリアネットワークを備えることができる。無線デバイスは、本明細書で論じる様々な無線通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができる。同様に、無線ノードは、様々な対応する変調方式または多重化方式のうちの１つまたは複数をサポートまたは使用することができる。したがって、無線ノードは、上記または他の無線通信技術を使用して１つまたは複数の無線通信リンクを確立し、それを介して通信するために適切な構成要素（たとえば、エアインターフェース）を含むことができる。たとえば、無線ノードは、無線媒体上の通信を可能にする様々な構成要素（たとえば、信号発生器および信号処理器）を含むことができる関連する送信機構成要素および受信機構成要素をもつ無線トランシーバを備えることができる。
【０１４８】
（たとえば、添付の図の１つまたは複数に関して）本明細書で説明した機能は、いくつかの態様では、添付の特許請求の範囲において同様に指定された「手段」機能に対応することがある。図２３〜図２５を参照すると、装置２３００、２４００、および２５００は一連の相互に関連する機能モジュールとして表される。ここで、ポイントオブプレゼンス提供モジュール２３０２は、少なくともいくつかの態様では、本明細書で論じるポイントオブプレゼンスコントローラに対応することがある。トラフィック送信モジュール２３０４は、少なくともいくつかの態様では、たとえば、本明細書で論じる通信コントローラに対応することがある。メッセージ送信モジュール２３０６は、少なくともいくつかの態様では、たとえば、本明細書で論じる通信コントローラに対応することがある。パケット受信モジュール２４０２は、少なくともいくつかの態様では、たとえば、本明細書で論じる受信機に対応することがある。サービスレベル判断モジュール２４０４は、少なくともいくつかの態様では、たとえば、本明細書で論じるサービスレベル判断器に対応することがある。パケット送信モジュール２４０６は、少なくともいくつかの態様では、たとえば、本明細書で論じる通信コントローラに対応することがある。通信モジュール２５０２は、少なくともいくつかの態様では、たとえば、本明細書で論じる制御信号プロセッサに対応することがある。サービスアクセスモジュール２５０４は、少なくともいくつかの態様では、たとえば、本明細書で論じる通信コントローラに対応することがある。
【０１４９】
図２３〜図２５のモジュールの機能は、本明細書の教示に合致する様々な方法で実装できる。いくつかの態様では、これらのモジュールの機能は、１つまたは複数の電気構成要素として実装できる。いくつかの態様では、これらのブロックの機能は、１つまたは複数のプロセッサ構成要素を含む処理システムとして実装できる。いくつかの態様では、これらのモジュールの機能は、たとえば、１つまたは複数の集積回路（たとえば、ＡＳＩＣ）の少なくとも一部を使用して実装できる。本明細書で論じるように、集積回路は、プロセッサ、ソフトウェア、他の関連した構成要素、またはそれらの何らかの組合せを含むことができる。これらのモジュールの機能は、本明細書で教示する方法とは別の何らかの方法で実装することもできる。いくつかの態様では、図２３〜図２５の１つまたは複数の破線ブロックは随意である。
【０１５０】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用できる。したがって、第１および第２の要素への言及は、そこで２つの要素のみが使用できること、または第１の要素が何らかの方法で第２の要素に先行しなければならないことを意味するものではない。また、別段の規定がない限り、要素のセットは１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１５１】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１５２】
さらに、本明細書で開示された態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計できる、デジタルの実施形態、アナログの実施形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じると解釈すべきではない。
【０１５３】
本明細書で開示した態様に関して説明した様々な例示的な論理ブロック、モジュールおよび回路は、集積回路（「ＩＣ」）、アクセス端末、またはアクセスポイント内に実装できるか、またはそれらによって実行できる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、電子的構成要素、光学的構成要素、機械的構成要素、または本明細書に記載の機能を実行するように設計されたそれらの任意の組合せを備えることができ、ＩＣの内部に、ＩＣの外側に、またはその両方に常駐するコードまたは命令を実行することができる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１５４】
開示されたプロセス中のステップの特定の順序または階層は例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【０１５５】
１つまたは複数の例示的な実施形態では、説明した機能はハードウェア、ソフトウェア、ファームウェア、またはその任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または、命令もしくはデータ構造の形態の所望のプログラムコードを運搬または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などの無線技術を使用して、ウェブサイト、サーバ、または他のリモートソースから送信される場合、同軸ケーブル、光ファイバケーブル、ツイストペア、ＤＳＬ、または赤外線、無線、およびマイクロ波などの無線技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装できることを諒解されたい。
【０１５６】
上記に鑑みて、いくつかの態様では、通信の第１の方法は、アクセス端末がローカルサービスにアクセスできるようにする第１のインターネットプロトコルポイントオブプレゼンス(Internet protocol point of presence)を提供することと、アクセス端末がネットワークサービスにアクセスできるようにする第２のインターネットプロトコルポイントオブプレゼンスを提供することと、ローカルサービスに関連するトラフィックおよびネットワークサービスに関連するトラフィックを、共通エアインターフェースを介して送信することとを備える。さらに、いくつかの態様では、第１のインターネットプロトコルポイントオブプレゼンスは第１のアクセスポイント名または第１のインターネットプロトコルアドレスに関連し、第２のインターネットプロトコルポイントオブプレゼンスは第２のアクセスポイント名または第２のインターネットプロトコルアドレスに関連することと、ローカルサービスは、共通エアインターフェースを介してアクセス端末と通信するアクセスポイントによって提供されるサービスを備え、ネットワークサービスは、アクセス端末のための第１のホップルータを介して提供されるサービスを備えることと、アクセスポイントはインターネットプロトコルサブネットワークに関連し、ローカルサービスはインターネットプロトコルサブネットワークに関連するエンティティによって提供されるサービスを備えることと、ローカルサービスは、アクセス端末からのトラフィックがアクセス端末のための第１のホップルータに流れるためのゲートウェイを介して提供されるサービスを備え、ネットワークサービスは、第１のホップルータを介して提供されるサービスを備えることと、ローカルサービスは、共通エアインターフェースを介してアクセス端末と通信するアクセスポイントによって提供されるインターネットアクセスを備え、インターネットアクセスは、アクセス端末のための第１のホップルータを介してインターネットアクセスが提供されないことと、本方法は、ローカルサービスに関連するトラフィックの送信を管理するために、第２のプロトコルを介して第１のプロトコルに関連するメッセージを送信することをさらに備えることと、第１のプロトコルは、モビリティマネージャとサービングゲートウェイとの間の通信に関連し、第２のプロトコルは、モビリティマネージャとアクセスポイントとの間の通信に関連することとのうちの少なくとも１つも、通信の第２の方法に適用できる。
【０１５７】
いくつかの態様では、通信の第２の方法は、パケットのためのパケットトンネルの終端を示すために無線パケットのためのインターネットプロトコルポイントオブプレゼンスを識別することと、識別されたインターネットプロトコルポイントオブプレゼンスに基づいてパケットを送信することとを備える。さらに、いくつかの態様では、インターネットプロトコルポイントオブプレゼンスの識別は、アクセスポイントにおいて、パケットとともに送信される識別子を判断することを備え、パケットの送信は、識別子に基づいて識別されたノードにトンネルを介してパケットをフォワーディングすることを備えることと、識別子は、パケットのインターネットプロトコルヘッダと無線リンクプロトコルヘッダとの間に存在するヘッダを介して送信されることと、インターネットプロトコルポイントオブプレゼンスの識別は、アクセス端末において、インターネットプロトコルポイントオブプレゼンスの識別子を定義することと、パケットとともに識別子を送信することとを備えることと、識別子は、パケットのインターネットプロトコルヘッダと無線リンクプロトコルヘッダとの間に存在するヘッダを介して送信されることと、インターネットプロトコルポイントオブプレゼンスの識別は、アクセスポイントにおいて、パケットが送信されるストリームを識別することを備え、パケットの送信は、ストリームに基づいて識別されたノードにトンネルを介してパケットをフォワーディングすることを備えることと、ストリームは、ローカルトラフィックのために指定されたデータ無線ベアラに関連することと、インターネットプロトコルポイントオブプレゼンスの識別は、アクセス端末において、インターネットプロトコルポイントオブプレゼンスに関連するストリームを判断することと、判断されたストリームを介してパケットを送信することとを備えることと、ストリームは、ローカルトラフィックのために指定されたデータ無線ベアラに関連することと、識別されたインターネットプロトコルポイントオブプレゼンスは、無線パケットがローカルサービスに関連するかネットワークサービスに関連するかを示すことと、識別されたインターネットプロトコルポイントオブプレゼンスは、無線パケットがホームネットワークに関連するか訪問先ネットワークに関連するかを示すことと、識別されたインターネットプロトコルポイントオブプレゼンスは、終端に関連するノードのネットワーク内の相対的な深さ(depth)を表すこととのうちの少なくとも１つも、通信の第２の方法に適用できる。
【０１５８】
いくつかの態様では、通信の第３の方法は、第１の制御シグナリングを介してローカルノードにおける第１のモビリティマネージャと通信することと、第２の制御シグナリングを介して別のノードにおける第２のモビリティマネージャと通信することと、第１のモビリティマネージャとの通信に基づいて第１のサービスにアクセスし、第２のモビリティマネージャとの通信に基づいて第２のサービスにアクセスすることとを備える。さらに、いくつかの態様では、第１の制御シグナリングは、アクセス端末によってサポートされる第１のノンアクセスストラタムインスタンスに関連し、第２の制御シグナリングが、アクセス端末によってサポートされる第２のノンアクセスストラタムインスタンスに関連することと、第１の制御シグナリングは、第１のサービスのためのベアラ管理に関連し、第２の制御シグナリングは、第２のサービスのためのベアラ管理に関連することと、第１の制御シグナリングは、第１のサービスのためのページング管理に関連し、第２の制御シグナリングは、第２のサービスのためのページング管理に関連することと、第１および第２の制御シグナリングは、様々なタイプのトラフィックのための様々なタイプのページングを行わせることと、ローカルノードは、第１のサービスおよび第２のサービスにアクセスするアクセス端末と無線で通信するアクセスポイントを備えることと、第１のサービスは、アクセスポイントを介して提供されるローカルサービスを備え、第２のサービスは、アクセス端末のための第１のホップルータを介して提供されるネットワークサービスを備えることと、第１のサービスは、アクセス端末からのトラフィックがアクセス端末のための第１のホップルータに流れるためのゲートウェイを介して提供されるローカルサービスを備え、第２のサービスは、第１のホップルータを介して提供されるネットワークサービスを備えることとのうちの少なくとも１つも、通信の第１の方法に適用できる。
【０１５９】
いくつかの態様では、第１、第２、および第３の通信の方法に関係する上記の態様のうちの１つまたは複数に対応する機能は、たとえば、本明細書で教示する構造を使用している装置中で実装できる。さらに、コンピュータプログラム製品は、第１、第２、および第３の通信の方法に関係する上記の態様のうちの１つまたは複数に対応する機能をコンピュータに行わせるように構成されたコードを備えることができる。
【０１６０】
開示された態様の前述の説明は、当業者が本開示を実施または使用できるようにするために提供されるものである。これらの態様への様々な変更は当業者にはすぐに明らかになり、本明細書で定義された包括的な原理は本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
以下、本願の出願当初の特許請求の範囲に記載の発明を付記する。  
［１］  アクセス端末が第１のサービスレベルにアクセスすることができるように第１のインターネットプロトコルポイントオブプレゼンスを提供することと、ここで、前記第１のサービスレベルは、ネットワークにおけるパケットの第１の終了を判断する、
前記アクセス端末が第２のサービスレベルにアクセスすることができるように第２のインターネットプロトコルポイントオブプレゼンスを提供することと、ここで、前記第２のサービスレベルは、前記ネットワークにおけるパケットの第２の終了を判断する、
共通エアインターフェースを介して、前記第１のサービスレベルを示すトラフィックと前記第２のサービスレベルを示すトラフィックとを送信することと
を備える通信］の方法。
［２］  前記第１のサービスレベルは、パケットをトンネリングすべきでないことを示し、
前記第２のサービスレベルは、パケットをトンネリングすべきであることを示す、
上記［１］の方法。
［３］  前記第２のサービスレベルは、訪問先ネットワークおよびエッジゲートウェイからなるグループのうちの少なくとも１つにおいて終了するプロトコルトンネルを介してパケットをトンネリングすべきであることを示す、上記［１］の方法。
［４］  前記第２のサービスレベルは、ホームネットワークおよびコアネットワークゲートウェイからなるグループのうちの少なくとも１つにおいて終了するプロトコルトンネルを介してパケットをトンネリングすべきであることを示す、上記［１］の方法。
［５］  前記第１のサービスレベルは、第１のアクセスポイント名および第１のインターネットプロトコルアドレスからなるグループのうちの少なくとも１つに関連し、
前記第２のサービスレベルは、第２のアクセスポイント名および第２のインターネットプロトコルアドレスからなるグループのうちの少なくとも１つに関連する、
上記［１］の方法。
［６］  前記第１のサービスレベルはローカルサービスであり、
前記第２のサービスレベルはネットワークサービスである、
上記［１］の方法。
［７］  前記ローカルサービスは、前記共通エアインターフェースを介して前記アクセス端末と通信するアクセスポイントを介して提供されるサービスを備え、
前記ネットワークサービスは、前記アクセス端末のための第１のホップルータを介して提供されるサービスを備える、
上記［６］の方法。
［８］  前記アクセスポイントは、インターネットプロトコルサブネットワークに関連し、
前記ローカルサービスは、前記インターネットプロトコルサブネットワークに関連するエンティティによって提供されるサービスを備える、
上記［７］の方法。
［９］  前記第１のサービスレベルを示すトラフィックを送信することは、前記第１のサービスレベルの第１の識別子を定義することと、前記識別子を第１のパケットとともに送信することとを備え、
前記第２のサービスレベルを示すトラフィックを送信することは、前記第２のサービスレベルの第２の識別子を定義することと、前記識別子を第２のパケットとともに送信することとを備える、
上記［１］の方法。
［１０］  前記第１のサービスレベルを示すトラフィックを送信することは、前記第１のサービスレベルに関連する１つまたは複数のストリームの第１のセットを判断することと、前記判断されたストリームの第１のセット中のストリームを介して第１のパケットを送信することとを備え、
前記第２のサービスレベルを示すトラフィックを送信することは、前記第２のサービスレベルに関連する１つまたは複数のストリームの第２のセットを判断することと、前記判断されたストリームの第２のセット中のストリームを介して第２のパケットを送信することとを備える、
上記［１］の方法。
［１１］  前記ストリームの第１のセットはデータ無線ベアラの第１のセットに関連し、
前記ストリームの第２のセットはデータ無線ベアラの第２のセットに関連する、
上記［１０］の方法。
［１２］  前記第１のサービスレベルを示すトラフィックを送信することを管理するために、第１のプロトコルに関連するメッセージを第２のプロトコルを介して送信することをさらに備える、上記［１］の方法。
［１３］  前記第１のプロトコルは、モビリティマネージャとサービングゲートウェイとの間の通信に関連し、
前記第２のプロトコルは、前記モビリティマネージャと、前記共通エアインターフェースを介して前記アクセス端末と通信するアクセスポイントとの間の通信に関連する、
上記［１２］の方法。
［１４］  アクセス端末が第１のサービスレベルにアクセスすることができるように第１のインターネットプロトコルポイントオブプレゼンスを提供するように構成され、前記アクセス端末が第２のサービスレベルにアクセスすることができるように第２のインターネットプロトコルポイントオブプレゼンスを提供するようにさらに構成されたポイントオブプレゼンスコントローラと、ここで、前記第１のサービスレベルは、ネットワークにおけるパケットの第１の終了を判断し、前記第２のサービスレベルは、前記ネットワークにおけるパケットの第２の終了を判断する、
共通エアインターフェースを介して、前記第１のサービスレベルを示すトラフィックと前記第２のサービスレベルを示すトラフィックとを送信するように構成された通信コントローラと
を備える通信のための装置。
［１５］  前記第１のサービスレベルは、パケットをトンネリングすべきでないことを示し、
前記第２のサービスレベルは、パケットをトンネリングすべきであることを示す、
上記［１４］の装置。
［１６］  前記第２のサービスレベルは、訪問先ネットワークおよびエッジゲートウェイからなるグループのうちの少なくとも１つにおいて終了するプロトコルトンネルを介してパケットをトンネリングすべきであることを示す、上記［１４］の装置。
［１７］  前記第２のサービスレベルは、ホームネットワークおよびコアネットワークゲートウェイからなるグループのうちの少なくとも１つにおいて終了するプロトコルトンネルを介してパケットをトンネリングすべきであることを示す、上記［１４］の装置。
［１８］  前記第１のサービスレベルは、第１のアクセスポイント名および第１のインターネットプロトコルアドレスからなるグループのうちの少なくとも１つに関連し、
前記第２のサービスレベルは、第２のアクセスポイント名および第２のインターネットプロトコルアドレスからなるグループのうちの少なくとも１つに関連する、
上記［１４］の装置。
［１９］  前記第１のサービスレベルはローカルサービスであり、
前記第２のサービスレベルはネットワークサービスである、
上記［１４］の装置。
［２０］  前記第１のサービスレベルを示すトラフィックを送信することは、前記第１のサービスレベルの第１の識別子を定義することと、前記識別子を第１のパケットとともに送信することとを備え、
前記第２のサービスレベルを示すトラフィックを送信することは、前記第２のサービスレベルの第２の識別子を定義することと、前記識別子を第２のパケットとともに送信することとを備える、
上記［１４］の装置。
［２１］  前記第１のサービスレベルを示すトラフィックを送信することは、前記第１のサービスレベルに関連する１つまたは複数のストリームの第１のセットを判断することと、前記判断されたストリームの第１のセット中のストリームを介して第１のパケットを送信することとを備え、
前記第２のサービスレベルを示すトラフィックを送信することは、前記第２のサービスレベルに関連する１つまたは複数のストリームの第２のセットを判断することと、前記判断されたストリームの第２のセット中のストリームを介して第２のパケットを送信することとを備える、
上記［１４］の装置。
［２２］  アクセス端末が第１のサービスレベルにアクセスすることができるように第１のインターネットプロトコルポイントオブプレゼンスを提供し、前記アクセス端末が第２のサービスレベルにアクセスすることができるように第２のインターネットプロトコルポイントオブプレゼンスを提供するための手段と、ここで、前記第１のサービスレベルは、ネットワークにおけるパケットの第１の終了を判断し、前記第２のサービスレベルは、前記ネットワークにおけるパケットの第２の終了を判断する、
共通エアインターフェースを介して、前記第１のサービスレベルを示すトラフィックと前記第２のサービスレベルを示すトラフィックとを送信するための手段と、
を備える通信のための装置。
［２３］  前記第１のサービスレベルは、パケットをトンネリングすべきでないことを示し、
前記第２のサービスレベルは、パケットをトンネリングすべきであることを示す、
上記［２２］の装置。
［２４］  前記第２のサービスレベルは、訪問先ネットワークおよびエッジゲートウェイからなるグループのうちの少なくとも１つにおいて終了するプロトコルトンネルを介してパケットをトンネリングすべきであることを示す、上記［２２］の装置。
［２５］  前記第２のサービスレベルは、ホームネットワークおよびコアネットワークゲートウェイからなるグループのうちの少なくとも１つにおいて終了するプロトコルトンネルを介してパケットをトンネリングすべきであることを示す、上記［２２］の装置。
［２６］  前記第１のサービスレベルは、第１のアクセスポイント名および第１のインターネットプロトコルアドレスからなるグループのうちの少なくとも１つに関連し、
前記第２のサービスレベルは、第２のアクセスポイント名および第２のインターネットプロトコルアドレスからなるグループのうちの少なくとも１つに関連する、
上記［２２］の装置。
［２７］  前記第１のサービスレベルはローカルサービスであり、
前記第２のサービスレベルはネットワークサービスである、
上記［２２］の装置。
［２８］  前記第１のサービスレベルを示すトラフィックを送信することは、前記第１のサービスレベルの第１の識別子を定義することと、前記識別子を第１のパケットとともに送信することとを備え、
前記第２のサービスレベルを示すトラフィックを送信することは、前記第２のサービスレベルの第２の識別子を定義することと、前記識別子を第２のパケットとともに送信することとを備える、
上記［２２］の装置。
［２９］  前記第１のサービスレベルを示すトラフィックを送信することは、前記第１のサービスレベルに関連する１つまたは複数のストリームの第１のセットを判断することと、前記判断されたストリームの第１のセット中のストリームを介して第１のパケットを送信することとを備え、
前記第２のサービスレベルを示すトラフィックを送信することは、前記第２のサービスレベルに関連する１つまたは複数のストリームの第２のセットを判断することと、前記判断されたストリームの第２のセット中のストリームを介して第２のパケットを送信することとを備える、
上記［２２］の装置。
［３０］  アクセス端末が第１のサービスレベルにアクセスすることができるように第１のインターネットプロトコルポイントオブプレゼンスを提供することと、ここで、前記第１のサービスレベルが、ネットワークにおけるパケットの第１の終了を判断する、
前記アクセス端末が第２のサービスレベルにアクセスすることができるように第２のインターネットプロトコルポイントオブプレゼンスを提供することと、ここで、前記第２のサービスレベルが、前記ネットワークにおけるパケットの第２の終了を判断する、
共通エアインターフェースを介して、前記第１のサービスレベルを示すトラフィックと前記第２のサービスレベルを示すトラフィックとを送信することと
をコンピュータに行わせるためのコードを備えるコンピュータ可読媒体
を備えるコンピュータプログラム製品。
［３１］  前記第１のサービスレベルは、パケットをトンネリングすべきでないことを示し、
前記第２のサービスレベルは、パケットをトンネリングすべきであることを示す、
上記［３０］のコンピュータプログラム製品。
［３２］  前記第１のサービスレベルは、第１のアクセスポイント名および第１のインターネットプロトコルアドレスからなるグループのうちの少なくとも１つに関連し、
前記第２のサービスレベルは、第２のアクセスポイント名および第２のインターネットプロトコルアドレスからなるグループのうちの少なくとも１つに関連する、
上記［３０］のコンピュータプログラム製品。
［３３］  前記第１のサービスレベルはローカルサービスであり、
前記第２のサービスレベルはネットワークサービスである、
上記［３０］のコンピュータプログラム製品。
［３４］  パケットを受信することと、
前記パケットに関連するサービスレベルを判断することと、
前記判断されたサービスレベルに基づいて、プロトコルトンネルを介して前記パケットを送信すべきかどうかを判断することと、
を備える通信の方法。
［３５］  前記サービスレベルは、パケットをトンネリングすべきかどうかを示す、上記［３４］の方法。
［３６］  前記サービスレベルは、訪問先ネットワークおよびエッジゲートウェイからなるグループのうちの少なくとも１つにおいて終了するプロトコルトンネルを介してパケットをトンネリングすべきかどうかを示す、上記［３４］の方法。
［３７］  前記サービスレベルは、ホームネットワークおよびコアネットワークゲートウェイからなるグループのうちの少なくとも１つにおいて終了するプロトコルトンネルを介してパケットをトンネリングすべきかどうかを示す、上記［３４］の方法。
［３８］  前記サービスレベルは、アクセスポイント名およびインターネットプロトコルアドレスからなるグループのうちの少なくとも１つに関連する、上記［３４］の方法。
［３９］  前記サービスレベルの前記判断は、前記パケットがローカルサービスに関連するのか、またはネットワークサービスに関連するのかを判断することを備える、上記［３４］の方法。
［４０］  前記パケットは、エアインターフェースを介して、前記パケットを送信したアクセス端末と通信するアクセスポイントにおいて受信され、
前記ローカルサービスは、前記アクセスポイントを介して提供されるサービスを備え、
前記ネットワークサービスは、前記プロトコルトンネルを介して前記アクセス端末のための第１のホップルータに提供されるサービスを備える、
上記［３９］の方法。
［４１］  前記アクセスポイントは、インターネットプロトコルサブネットワークに関連し、
前記ローカルサービスは、前記インターネットプロトコルサブネットワークに関連するエンティティによって提供されるサービスを備える、
上記［４０］の方法。
［４２］  前記サービスレベルの前記判断は、前記パケットとともに送信される識別子を判断することを備える、上記［３４］の方法。
［４３］  前記サービスレベルの前記判断は、前記パケットが送信されるストリームを判断することを備える、上記［３４］の方法。
［４４］  前記ストリームはデータ無線ベアラに関連する、上記［４３に記載］の方法。
［４５］  パケットを受信するように構成された受信機と、
前記パケットに関連するサービスレベルを判断するように構成されたサービスレベル判断器と、
前記判断されたサービスレベルに基づいて、プロトコルトンネルを介して前記パケットを送信すべきかどうかを判断するように構成された通信コントローラと、
を備える通信のための装置。
［４６］  前記サービスレベルは、パケットをトンネリングすべきかどうかを示す、上記［４５］の装置。
［４７］  前記サービスレベルは、訪問先ネットワークおよびエッジゲートウェイからなるグループのうちの少なくとも１つにおいて終了するプロトコルトンネルを介してパケットをトンネリングすべきかどうかを示す、上記［４５］の装置。
［４８］  前記サービスレベルは、ホームネットワークおよびコアネットワークゲートウェイからなるグループのうちの少なくとも１つにおいて終了するプロトコルトンネルを介してパケットをトンネリングすべきかどうかを示す、上記［４５］の装置。
［４９］  前記サービスレベルは、アクセスポイント名およびインターネットプロトコルアドレスからなるグループのうちの少なくとも１つに関連する、上記［４５］の装置。
［５０］  前記サービスレベルの前記判断は、前記パケットがローカルサービスに関連するのか、またはネットワークサービスに関連するのかを判断することを備える、上記［４５］の装置。
［５１］  前記サービスレベルの前記判断は、前記パケットとともに送信される識別子を判断することを備える、上記［４５］の装置。
［５２］  前記サービスレベルの前記判断は、前記パケットが送信されるストリームを判断することを備える、上記［４５］の装置。
［５３］  パケットを受信するための手段と、
前記パケットに関連するサービスレベルを判断するための手段と、
前記判断されたサービスレベルに基づいて、プロトコルトンネルを介して前記パケットを送信すべきかどうかを判断するための手段と、
を備える通信のための装置。
［５４］  前記サービスレベルは、パケットをトンネリングすべきかどうかを示す、上記［５３］の装置。
［５５］  前記サービスレベルは、訪問先ネットワークおよびエッジゲートウェイからなるグループのうちの少なくとも１つにおいて終了するプロトコルトンネルを介してパケットをトンネリングすべきかどうかを示す、上記［５３］の装置。
［５６］  前記サービスレベルは、ホームネットワークおよびコアネットワークゲートウェイからなるグループのうちの少なくとも１つにおいて終了するプロトコルトンネルを介してパケットをトンネリングすべきかどうかを示す、上記［５３］の装置。
［５７］  前記サービスレベルは、アクセスポイント名およびインターネットプロトコルアドレスからなるグループのうちの少なくとも１つに関連する、上記［５３］の装置。
［５８］  前記サービスレベルの前記判断は、前記パケットがローカルサービスに関連するのか、またはネットワークサービスに関連するのかを判断することを備える、上記［５３］の装置。
［５９］  前記サービスレベルの前記判断は、前記パケットとともに送信される識別子を判断することを備える、上記［５３］の装置。
［６０］  前記サービスレベルの前記判断は、前記パケットが送信されるストリームを判断することを備える、上記［５３］の装置。
［６１］  パケットを受信することと、
前記パケットに関連するサービスレベルを判断することと、
前記判断されたサービスレベルに基づいて、プロトコルトンネルを介して前記パケットを送信すべきかどうかを判断することと、
をコンピュータに行わせるためのコードを備えるコンピュータ可読媒体、
を備えるコンピュータプログラム製品。
［６２］  前記サービスレベルは、訪問先ネットワークおよびエッジゲートウェイからなるグループのうちの少なくとも１つにおいて終了するプロトコルトンネルを介してパケットをトンネリングすべきかどうかを示す、上記［６１］のコンピュータプログラム製品。
［６３］  前記サービスレベルは、ホームネットワークおよびコアネットワークゲートウェイからなるグループのうちの少なくとも１つにおいて終了するプロトコルトンネルを介してパケットをトンネリングすべきかどうかを示す、上記［６１］のコンピュータプログラム製品。
［６４］  前記サービスレベルは、アクセスポイント名およびインターネットプロトコルアドレスからなるグループのうちの少なくとも１つに関連する、上記［６１］のコンピュータプログラム製品。
［６５］  前記サービスレベルの前記判断は、前記パケットがローカルサービスに関連するのか、またはネットワークサービスに関連するのかを判断することを備える、上記［６１］のコンピュータプログラム製品。
［６６］  第１のノードと通信するために、アクセス端末において第１のＮＡＳインスタンスを使用することと、
第２のノードと通信するために、前記アクセス端末において第２のＮＡＳインスタンスを使用することと、
前記第１のノードとの前記通信に基づいて第１のサービスにアクセスし、前記第２のノードとの前記通信に基づいて第２のサービスにアクセスすることと、
を備える通信の方法。
［６７］  前記第１のノードは、モビリティ管理およびセッション管理からなるグループのうちの少なくとも１つを前記第１のサービスに提供し、
前記第２のノードは、モビリティ管理およびセッション管理からなるグループのうちの少なくとも１つを前記第２のサービスに提供する、
上記［６６］の方法。
［６８］  前記第１のＮＡＳインスタンスは前記第１のサービスのベアラ管理に関連し、
前記第２のＮＡＳインスタンスは前記第２のサービスのベアラ管理に関連する、
上記［６６］の方法。
［６９］  前記第１のＮＡＳインスタンスは前記第１のサービスのページング管理に関連し、
前記第２のＮＡＳインスタンスは前記第２のサービスのページング管理に関連する、
上記［６６］の方法。
［７０］  前記第１および第２のＮＡＳインスタンスは、様々なタイプのトラフィックのために様々なタイプのページングを提供する、上記［６６］の方法。
［７１］  前記第１のノードは、前記アクセス端末と無線で通信するアクセスポイントを備える、上記［６６］の方法。
［７２］  前記第１のサービスは、前記アクセスポイントを介して提供されるローカルサービスを備え、
前記第２のサービスは、前記アクセス端末のための第１のホップルータを介して提供されるネットワークサービスを備える、
上記［７１］の方法。
［７３］  前記パケットは、トンネルにおいて前記第１のホップルータに送信される、上記［７２］の方法。
［７４］  前記第１のサービスは、前記アクセス端末からのトラフィックが前記アクセス端末のための第１のホップルータに流れるためのゲートウェイを介して提供されるローカルサービスを備え、
前記第２のサービスは、前記第１のホップルータを介して提供されるネットワークサービスを備える、
上記［６６］の方法。
［７５］  第１のノードと通信するために、アクセス端末において第１のＮＡＳインスタンスを使用するように構成され、第２のノードと通信するために、前記アクセス端末において第２のＮＡＳインスタンスを使用するようにさらに構成された制御信号プロセッサと、
前記第１のノードとの前記通信に基づいて第１のサービスにアクセスするように構成され、前記第２のノードとの前記通信に基づいて第２のサービスにアクセスするようにさらに構成された通信コントローラと、
を備える通信のための装置。
［７６］  前記第１のノードは、モビリティ管理およびセッション管理からなるグループのうちの少なくとも１つを前記第１のサービスに提供し、
前記第２のノードは、モビリティ管理およびセッション管理からなるグループのうちの少なくとも１つを前記第２のサービスに提供する、
上記［７５］の装置。
［７７］  前記第１のＮＡＳインスタンスは前記第１のサービスのベアラ管理に関連し、
前記第２のＮＡＳインスタンスは前記第２のサービスのベアラ管理に関連する、
上記［７５］の装置。
［７８］  前記第１のＮＡＳインスタンスは前記第１のサービスのページング管理に関連し、
前記第２のＮＡＳインスタンスは前記第２のサービスのページング管理に関連する、
上記［７５］の装置。
［７９］  前記第１および第２のＮＡＳインスタンスは、様々なタイプのトラフィックのために様々なタイプのページングを提供する、上記［７５］の装置。
［８０］  前記第１のノードは、前記アクセス端末と無線で通信するアクセスポイントを備える、上記［７５］の装置。
［８１］  前記第１のサービスは、前記アクセスポイントを介して提供されるローカルサービスを備え、
前記第２のサービスは、前記アクセス端末のための第１のホップルータを介して提供されるネットワークサービスを備える、
上記［８０］の装置。
［８２］  前記パケットは、トンネルにおいて前記第１のホップルータに送信される、上記［８１］の装置。
［８３］  前記第１のサービスは、前記アクセス端末からのトラフィックが前記アクセス端末のための第１のホップルータに流れるためのゲートウェイを介して提供されるローカルサービスを備え、
前記第２のサービスは、前記第１のホップルータを介して提供されるネットワークサービスを備える、
上記［７５］の装置。
［８４］  第１のノードと通信するために、アクセス端末において第１のＮＡＳインスタンスを使用し、第２のノードと通信するために、前記アクセス端末において第２のＮＡＳインスタンスを使用するための手段と、
前記第１のノードとの前記通信に基づいて第１のサービスにアクセスし、前記第２のノードとの前記通信に基づいて第２のサービスにアクセスするための手段と、
を備える通信のための装置。
［８５］  前記第１のノードは、モビリティ管理およびセッション管理からなるグループのうちの少なくとも１つを前記第１のサービスに提供し、
前記第２のノードは、モビリティ管理およびセッション管理からなるグループのうちの少なくとも１つを前記第２のサービスに提供する、
上記［８４］の装置。
［８６］  前記第１のＮＡＳインスタンスは前記第１のサービスのベアラ管理に関連し、
前記第２のＮＡＳインスタンスは前記第２のサービスのベアラ管理に関連する、
上記［８４］の装置。
［８７］  前記第１のＮＡＳインスタンスは前記第１のサービスのページング管理に関連し、
前記第２のＮＡＳインスタンスは前記第２のサービスのページング管理に関連する、
上記［８４］の装置。
［８８］  前記第１および第２のＮＡＳインスタンスは、様々なタイプのトラフィックのために様々なタイプのページングを提供する、上記［８４］の装置。
［８９］  前記第１のノードは、前記アクセス端末と無線で通信するアクセスポイントを備える、上記［８４］の装置。
［９０］  前記第１のサービスは、前記アクセスポイントを介して提供されるローカルサービスを備え、
前記第２のサービスは、前記アクセス端末のための第１のホップルータを介して提供されるネットワークサービスを備える、
上記［８９］の装置。
［９１］  前記パケットは、トンネルにおいて前記第１のホップルータに送信される、上記［９０］の装置。
［９２］  前記第１のサービスは、前記アクセス端末からのトラフィックが前記アクセス端末のための第１のホップルータに流れるためのゲートウェイを介して提供されるローカルサービスを備え、
前記第２のサービスは、前記第１のホップルータを介して提供されるネットワークサービスを備える、
上記［８４］の装置。
［９３］  第１のノードと通信するために、アクセス端末において第１のＮＡＳインスタンスを使用することと、
第２のノードと通信するために、前記アクセス端末において第２のＮＡＳインスタンスを使用することと、
前記第１のノードとの前記通信に基づいて第１のサービスにアクセスし、前記第２のノードとの前記通信に基づいて第２のサービスにアクセスすることと、
をコンピュータに行わせるためのコードを備えるコンピュータ可読媒体、
を備えるコンピュータプログラム製品。
［９４］  前記第１のノードは、モビリティ管理およびセッション管理からなるグループのうちの少なくとも１つを前記第１のサービスに提供し、
前記第２のノードは、モビリティ管理およびセッション管理からなるグループのうちの少なくとも１つを前記第２のサービスに提供する、
上記［９３］のコンピュータプログラム製品。
［９５］  前記第１のＮＡＳインスタンスは前記第１のサービスのベアラ管理に関連し、
前記第２のＮＡＳインスタンスは前記第２のサービスのベアラ管理に関連する、
上記［９３］のコンピュータプログラム製品。
［９６］  前記第１のＮＡＳインスタンスは前記第１のサービスのページング管理に関連し、
前記第２のＮＡＳインスタンスは前記第２のサービスのページング管理に関連する、
上記［９３］のコンピュータプログラム製品。
［９７］  前記第１および第２のＮＡＳインスタンスは、様々なタイプのトラフィックのために様々なタイプのページングを提供する、上記［９３］のコンピュータプログラム製品。
［９８］  前記第１のノードは、前記アクセス端末と無線で通信するアクセスポイントを備える、上記［９３］のコンピュータプログラム製品。
［９９］  前記第１のサービスは、前記アクセスポイントを介して提供されるローカルサービスを備え、
前記第２のサービスは、前記アクセス端末のための第１のホップルータを介して提供されるネットワークサービスを備える、
上記［９８］のコンピュータプログラム製品。
［１００］  前記パケットは、トンネルにおいて前記第１のホップルータに送信される、上記［９９］のコンピュータプログラム製品。
［１０１］  前記第１のサービスは、前記アクセス端末からのトラフィックが前記アクセス端末のための第１のホップルータに流れるためのゲートウェイを介して提供されるローカルサービスを備え、
前記第２のサービスは、前記第１のホップルータを介して提供されるネットワークサービスを備える、
上記［９３］のコンピュータプログラム製品。
【図１】
0005456703.tif 000002
【図２】
0005456703.tif 000003
【図３】
0005456703.tif 000004
【図４】
0005456703.tif 000005
【図５】
0005456703.tif 000006
【図６】
0005456703.tif 000007
【図７】
0005456703.tif 000008
【図８】
0005456703.tif 000009
【図９】
0005456703.tif 000010
【図１０】
0005456703.tif 000011
【図１１】
0005456703.tif 000012
【図１２】
0005456703.tif 000013
【図１３】
0005456703.tif 000014
【図１４】
0005456703.tif 000015
【図１５】
0005456703.tif 000016
【図１６】
0005456703.tif 000017
【図１７Ａ】
0005456703.tif 000018
【図１７Ｂ】
0005456703.tif 000019
【図１８Ａ】
0005456703.tif 000020
【図１８Ｂ】
0005456703.tif 000021
【図１９】
0005456703.tif 000022
【図２０】
0005456703.tif 000023
【図２１】
0005456703.tif 000024
【図２２】
0005456703.tif 000025
【図２３】
0005456703.tif 000026
【図２４】
0005456703.tif 000027
【図２５】
0005456703.tif 000028